(57)【要約】【課題】ユーザの希望に沿うエリア内にある蓄電池パックを貸与する装置に関する情報を情報端末に表示する。【解決手段】蓄電池貸与装置２に関する情報を保持するサーバ装置１１とネットワークを通じて通信可能な情報端末３を制御する制御プログラムであって、情報端末３に、使用者によって設定されたエリアに存在する蓄電池貸与装置２に関する情報をサーバ装置１１より取得させる処理と、取得した蓄電池貸与装置２に関する情報を表示画面に表示させる処理と、を実行させる。【選択図】図１５
2020080199.tif 000002
【特許請求の範囲】
【請求項１】
サービスセンタに関する情報を保持し、ネットワークを通じて、情報端末と通信可能なサーバ装置における情報提示方法であって、
前記サーバ装置は、
蓄電池パックの蓄電池ＩＤと、当該蓄電池パックを保管しているサービスセンタとを対応付けて記憶している蓄電池管理データベースと、
前記サービスセンタのセンタＩＤと、当該サービスセンタの所在地とを対応付けて記憶しているセンタ管理データベースとを備えており、
前記情報提示方法は、
サービスセンタの検索エリアを示すエリア情報を含むセンタ検索要求を受信し、
前記センタ検索要求を受信すると、前記センタ管理データベースを参照して、前記検索エリア内のサービスセンタを検索し、
前記蓄電池管理データベースを参照して、検索したサービスセンタが貸与可能な蓄電池パックを保管しているか否かを判断し、
検索したサービスセンタが貸与可能な蓄電池パックを保管していると判断した場合、検索されたサービスセンタの所在地または地図上の位置を示す表示情報を含むセンタ検索応答を前記情報端末に送信する、
ことを特徴とする情報提示方法。
【請求項２】
前記蓄電池管理データベースは、各蓄電池パックの劣化度合を示す情報をさらに記憶しており、
前記蓄電池パックの劣化度合を示す情報に基づいて、検索されたサービスセンタが貸与可能な蓄電池パックを保管しているか否かを判断する、
請求項１に記載の情報提示方法。
【請求項３】
前記検索エリアは、前記情報端末の現在地点から所定距離内のエリアである、
請求項１〜２のいずれか１項に記載の情報提示方法。
【請求項４】
前記検索エリアは、指定されたルートから所定距離内のエリアである、
請求項１〜２のいずれか１項に記載の情報提示方法。
【請求項５】
前記検索エリアは、前記情報端末の使用者の自宅から所定距離内のエリアである、
請求項１〜２のいずれか１項に記載の情報提示方法。
【請求項６】
前記検索エリアは、前記情報端末の現在地点から指定された、前記情報端末の使用者の目的地までのルートから、所定距離内のエリアである、
請求項１〜２のいずれか１項に記載の情報提示方法。
【請求項７】
サービスセンタに関する情報を保持するサーバ装置とネットワークを通じて通信可能な情報端末における情報提示方法であって、
前記情報端末はディスプレイを備えており、
前記情報提示方法は、
前記情報端末の使用者により設定された、サービスセンタの検索エリアを示すエリア情報を含むセンタ検索要求を前記サーバに送信し、
前記サーバにて検索された貸与可能な蓄電池パックを保管しているサービスセンタの所在地を示す表示情報を含むセンタ検索応答を受信し、
前記センタ検索応答に基づいてサービスセンタの所在地を前記ディスプレイに表示する、
ことを特徴とする情報提示方法。
【請求項８】
前記貸与可能な蓄電池パックを保管しているサービスセンタは、
前記サーバにて、蓄電池パックの劣化度合を示す情報に基づいて、貸与可能な蓄電池パックを保管していると判断されている、
請求項７に記載の情報提示方法。
【請求項９】
前記検索エリアは、前記情報端末の現在地点から所定距離内のエリアである、
請求項７〜８のいずれか１項に記載の情報提示方法。
【請求項１０】
前記検索エリアは、指定されたルートから所定距離内のエリアである、
請求項７〜８のいずれか１項に記載の情報提示方法。
【請求項１１】
前記検索エリアは、使用者の自宅から所定距離内のエリアである、
請求項７〜８のいずれか１項に記載の情報提示方法。
【請求項１２】
前記検索エリアは、前記情報端末の現在地点から指定された、使用者の目的地までのルートから、所定距離内のエリアである、
請求項７〜８のいずれか１項に記載の情報提示方法。
【発明の詳細な説明】
【技術分野】
【０００１】
本開示は、蓄電池パックの貸与候補を情報端末に表示する技術に関する。
【背景技術】
【０００２】
交換可能な蓄電池パックを搭載する機器として、例えば電動車両がある。電動車両のユーザは、蓄電池パックの電池残量が少なくなってきたときに、近くのバッテリステーションに立ち寄り、自車に搭載中の蓄電池パックとバッテリステーションで充電された畜電池パックを交換する。
この蓄電池パックの交換に際しての電動車両のユーザの利便性を考え、蓄電池パックの電池残量と電動車両の位置などとに基づいて当該蓄電池パックの電池残量で電動車両が到達可能なバッテリステーションを候補バッテリステーションとして選択する従来技術がある（例えば、特許文献１参照）。
【先行技術文献】
【特許文献】
【０００３】
【特許文献１】特許第５３６２９３０号
【発明の概要】
【発明が解決しようとする課題】
【０００４】
従来技術の候補ステーションの選択方法は、ユーザの希望に沿っていない可能性がある状況も存在する。
上記事情に鑑み、限定的でない例示的なある実施形態は、ユーザの希望に沿うエリア内にある蓄電池パックを貸与する装置に関する情報を情報端末に表示する当該情報端末の制御プログラム及び制御方法を提供する。
【課題を解決するための手段】
【０００５】
本開示の一の情報端末の制御プログラムは、蓄電池パックを貸与する装置に関する情報を保持するサーバ装置とネットワークを通じて通信可能な情報端末を制御する制御プログラムであって、前記情報端末に、使用者によって設定されたエリアに存在する前記装置に関する情報を前記サーバ装置より取得する処理（ａ）と、取得した前記装置に関する情報を表示画面に表示する処理（ｂ）と、を実行させる。
【発明の効果】
【０００６】
上記情報端末の制御プログラムによれば、ユーザの希望に沿うエリア内にある蓄電池パックを貸与する装置に関する情報を情報端末に表示することが可能になる。
【図面の簡単な説明】
【０００７】
【図１】一実施の形態に関連する蓄電池パックのレンタル予約システムの概略を示す図。
【図２】一実施の形態の蓄電池パックのレンタル予約システムのシステム構成図。
【図３】図２のサーバ装置の構成を示すブロック図。
【図４】図３のセンタ管理データベースの一例を示す図。
【図５】図３のクラス条件データベースの一例を示す図。
【図６】図３のレンタル管理データベースの一例を示す図。
【図７】図３の蓄電池管理データベースの一例を示す図。
【図８】図２の蓄電池貸与装置の構成を示すブロック図。
【図９】図２の情報端末の構成を示すブロック図。
【図１０】図２の蓄電池パックの構成を示すブロック図。
【図１１】図９の情報端末が表示する蓄電池予約アプリケーションのトップページの一表示例。
【図１２】蓄電池予約アプリケーションにおけるサービスセンタを検索するエリアの設定における表示内容の一遷移例。
【図１３】蓄電池予約アプリケーションにおける蓄電池パックの蓄電池情報及びレンタル期間情報の報知基準の設定における表示内容の一遷移例。
【図１４】蓄電池予約アプリケーションにおける蓄電池パックの蓄電池情報及びレンタル期間情報の報知基準の設定における表示内容の他の遷移例。
【図１５】蓄電池予約アプリケーションにおける蓄電池パックの交換の予約における表示内容の一遷移例。
【図１６】蓄電池予約アプリケーションにおける蓄電池パックの交換の予約における表示内容の他の遷移例。
【図１７】蓄電池予約アプリケーションにおける蓄電池パックの交換の予約における表示内容の更に他の遷移例。
【図１８】蓄電池予約アプリケーションにおける蓄電池パックの交換の予約における表示内容の更に他の遷移例。
【図１９】蓄電池予約アプリケーションにおける蓄電池パックの報知における表示内容の例。
【図２０】図９の情報端末のメイン処理フローを示すフローチャート。
【図２１】図２０のエリア設定処理フローを示すフローチャート。
【図２２】図２０の報知基準設定処理フローを示すフローチャート。
【図２３】図２２の報知判定処理フローを示すフローチャート。
【図２４】図２３の報知処理フローを示すフローチャート。
【図２５】図２０の蓄電池予約処理フローを示すフローチャート。
【図２６】図２０の蓄電池予約処理フローを示すフローチャート。
【図２７】図２の蓄電池パックのレンタル予約システムの動作シーケンスの一例を示すシーケンス図。
【発明を実施するための形態】
【０００８】
上記特許文献１記載の従来技術は、次の点で改善の余地があった。
例えば、ユーザは電動車両以外の手段（例えば、徒歩または自転車）で蓄電池パックを持参してバッテリステーションに行くことも可能である。また、電動車両が電動アシスト自転車の場合には、蓄電池パックの電池残量がなくなってもユーザは電動アシスト自転車で移動してバッテリステーションに行くことも可能である。さらに、交換可能な蓄電池パックを搭載する機器が電動車両のような移動手段であるとは限らない。
【０００９】
つまり、上記従来技術では、ユーザの希望に沿っていない可能性がある状況が存在し得る。
本発明者は、鋭意検討した結果、以下の内容に想到した。
すなわち、本開示の一態様は、蓄電池パックを貸与する装置に関する情報を保持するサーバ装置とネットワークを通じて通信可能な情報端末を制御する制御プログラムであって、前記情報端末に、使用者によって設定されたエリアに存在する前記装置に関する情報を前サーバ装置より取得する処理（ａ）と、取得した前記装置に関する情報を表示画面に表示する処理（ｂ）と、を実行させる制御プログラムを提供する。
【００１０】
以下、本開示の一実施の形態に係る情報端末の制御プログラム及び制御方法について図面を参照しつつ説明する。
但し、情報端末の制御プログラム及び制御方法は、蓄電池パックのレンタルサービスを行う企業（以下、「レンタルサービス企業」という。）が運営する蓄電池パックのレンタル予約システムの利用をユーザに提供するためのものである。
【００１１】
なお、以下で説明する実施の形態は、いずれも本開示の一具体例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【００１２】
＜蓄電池パックのレンタル予約システムの概略＞
図１は一実施の形態における蓄電池パックのレンタル予約システムの概略を示す図であり、図２は図１のレンタル予約システムのシステム構成図である。
蓄電池パックのレンタル予約システムを運営するレンタルサービス企業１は、複数のサービスセンタを展開し、蓄電池パックのレンタル予約システム全体を管理するためのサーバ装置１１を備えている。そして、レンタルサービス企業１は、各サービスセンタ２Ａ，２Ｂ，・・・で会員カードを発行し、各サービスセンタにてユーザからの蓄電池パックの交換（持ち込みと貸し出し）を受け付ける。各サービスセンタ２Ａ，２Ｂ，・・・での会員に関する蓄電池パックの交換状況の管理はサーバ装置１１によって行われる。
【００１３】
各サービスセンタ２Ａ，２Ｂ，・・・は、パーソナルコンピュータ（以下、「ＰＣ」と記載する。）２１とこれに接続されたカードリーダライタ２２などから構成されるレンタル手続用機器２３を備えている。また、各サービスセンタ２Ａ，２Ｂ，・・・は、蓄電池パックを充電する機能を備え、複数の蓄電池パックを収容する蓄電池収納器２４を備えている。
【００１４】
なお、レンタル手続用機器２３のＰＣ２１及び蓄電池収納器２４は、夫々、ルータ２５に接続され、サーバ装置１１とネットワークを介して情報の送受信を行うことができる。
レンタルサービス企業１が提供する蓄電池パックのレンタルサービスを受けるために、ユーザは、サービスセンタなどにおいて例えば氏名、住所、電話番号などの必要事項を記入した上で会員カードの発行を受ける。また、ユーザは、情報端末３に、ユーザが蓄電池パックのレンタル予約システムを利用するためのアプリケーションプログラムを例えばサーバ装置１１からダウンロードし、当該アプリケーションプログラムをインストールする。
【００１５】
このアプリケーションを使って、例えば、ユーザはサービスセンタを検索するエリアを設定することができる。そして、ユーザは、サーバ装置１１によって、検索された当該エリア内に位置するサービスセンタの表示を情報端末３の表示器に受け、その中から一つのサービスセンタを選択して蓄電池パックの交換を予約することができる。なお、この詳細については後述する。
【００１６】
ユーザは、サービスセンタに蓄電池パックの交換を予約してからサービスセンタに行く。そして、ユーザは電動アシスト自転車４からはずした蓄電池パックを返却し、充電が完了した別の蓄電池パックを借りて電動アシスト自転車４にとりつける。
なお、サーバ装置１１と情報端末３とは互いにネットワークを介して情報の送受信を行うことができる。また、情報端末３と蓄電池パック５などの蓄電池パックとは例えば近接無線通信を行って情報の送受信を行うことができる。
【００１７】
なお、サービスセンタ２Ａ，２Ｂ，・・・は、レンタルサービス企業１の直営店であってもよいし、コンビニエンスストア（以下、「コンビニ」と記載する。）、電気店、ホームセンタなどに委託してその一角を間借りしたようなものであってもよい。
なお、レンタル手続用機器２３と蓄電池収納器２４とを組み合わせたものが、蓄電池パックを貸与する装置（以下、「蓄電池貸与装置」と記載する。）２の一例である。蓄電池貸与装置２は、店舗の建物内に設置されていてもよく、その全て又は一部が屋外に設置されていてもよい。また、蓄電池貸与装置２は、レンタル手続用機器２３と蓄電池収納器２４とを別々に構成したものであってもよく、それらが一体となったものであってもよい。さらに、蓄電池貸与装置２は、ユーザが蓄電池パックを交換する際に、従業員が介在するようなものであってもよく、自動販売機のように従業員が介在しないようなものであってもよい。
【００１８】
なお、以下では、本開示の蓄電池貸与装置に関する情報として、当該蓄電池貸与装置を備えるサービスセンタの所在地及びその名称とするが、これに限定されるものではない。
＜サーバ装置の構成＞
図３は図１のサーバ装置１１の構成を示すブロック図である。
サーバ装置１１は、図３に示すように、記憶器１０１と、制御器１０２と、通信器１０３とを備える。
【００１９】
記憶器１０１には、サーバ装置１１を制御するための各種制御プログラム、各種アプリケーションプログラムなどのプログラム、及び、各種データが記憶される。なお、記憶器１０１は、例えば半導体メモリまたはＨＤＤ（Ｈａｒｄ  Ｄｉｓｋ  Ｄｒｉｖｅ）などで構成される。
例えば、記憶器１０１には、センタ管理データベース１１１、クラス条件データベース１１２、レンタル管理データベース１１３、及び蓄電池管理データベース１１４が記憶される。
【００２０】
センタ管理データベース１１１は、サービスセンタの名称及び所在地を示すデータを記憶するためのデータベースである。センタ管理データベース１１１では、図４に一例を示すように、「Ｎｏ．」に、「センタＩＤ」、「センタ名」及び「所在地」が関連付けて記憶される。「センタＩＤ」、「センタ名」、及び「所在地」の夫々には、サービスセンタに割り当てられたセンタＩＤ、当該サービスセンタの名称、及び当該サービスセンタが所在する住所が記憶される。
【００２１】
クラス条件データベース１１２は、蓄電池パックのクラス分けの条件を記憶するためのデータベースである。クラス条件データベース１１２では、図５に一例を示すように、「クラス（劣化レベル）」に「条件」が関連付けて記憶される。「クラス（劣化レベル）」には電池パックの劣化度合い（劣化レベル）を示すクラスが記憶され、Ａ→Ｂ→Ｃ→Ｄ→Ｅと進むにつれて蓄電池パックの劣化度合いが大きい。「条件」には対応するクラスに属する蓄電池パックの条件が記憶されている。なお、ある蓄電池パックが複数の条件を満たす場合には最も劣化度合いが大きいクラスに属するものとする。なお、複数の条件を満たす場合にどのクラスに属するかの決め方は特に限定されるものではなく、蓄電池パックの劣化度合いを示すクラスの条件は特に限定されるものではない。
【００２２】
レンタル管理データベース１１３は、蓄電池パックのレンタル管理を行うためのデータベースである。レンタル管理データベース１１３では、図６に一例を示すように、「Ｎｏ．」に関連付けて、「センタＩＤ」、「会員ナンバー」、「年月日」、「返却遅れ有無」、「持ち込み電池ＩＤ」、「持ち込み電池情報」、「貸し出し電池ＩＤ」、「貸し出し電池情報」、及び「レンタル期間」が関連付けて記憶される。
【００２３】
「センタＩＤ」には蓄電池パックの交換を行ったサービスセンタのセンタＩＤが記憶される。「会員ナンバー」及び「年月日」には、夫々、蓄電池パックの交換を行った会員の会員ナンバー及びその年月日が記憶される。「返却遅れ有無」は蓄電池パックの返却に遅れがあったか否かを示す情報（返却遅れがあった場合には「有」、なかった場合には「無」）が記憶される。
【００２４】
「持ち込み電池ＩＤ」及び「持ち込み電池情報」には、夫々、サービスセンタに持ち込まれた蓄電池パックの蓄電池ＩＤ及びその電池情報（電池残量、クラス）が記憶される。「貸し出し電池ＩＤ」及び「貸し出し電池情報」には、夫々、サービスセンタが貸し出した蓄電池パックの蓄電池ＩＤ及びその電池情報（電池残量、クラス）が記憶される。
「レンタル期間」には、蓄電池パックの貸し出し期間が記憶される。
【００２５】
蓄電池管理データベース１１４は、蓄電池パックの電池残量、クラス、充電履歴などを管理するためのデータベースである。蓄電池管理データベース１１４では、図７に一例を示すように、蓄電池パックの蓄電池ＩＤ毎に、「製造年月日」、「保管サービスセンタ」、「電池残量」、「学習容量」、「クラス（劣化レベル）」及び「充電年月日」が記憶される。
【００２６】
「製造年月日」には、蓄電池パックの製造年月日が記憶され、「保管サービスセンタ」には蓄電池パックを保管しているサービスセンタのセンタＩＤが記憶される。「電池残量」、「学習容量」、及び「クラス（劣化レベル）」には、夫々、蓄電池パックの電池残量、当該蓄電池パックの学習容量、及び当該蓄電池パックの劣化度合い（劣化レベル）を示すクラスが記憶される。また、「充電年月日」には蓄電池パックが充電された年月日の履歴が記憶される。
【００２７】
但し、貸し出し中の蓄電池パックでは、「保管サービスセンタ」には「貸し出し中」である旨が記憶され、「電池残量」の記憶内容はブランク（−）となるものとする。
なお、蓄電池管理データベース１１４の「クラス（劣化レベル）」の更新は、制御器１０２が定期的にクラス条件データベース１１２の内容を参照して行う。
制御器１０２は、サーバ装置１１全体の制御及び各種演算を行うものであり、例えばＣＰＵ（Ｃｅｎｔｒａｌ  Ｐｒｏｃｅｓｓｉｎｇ  Ｕｎｉｔ）などのプロセッサにより構成される。
【００２８】
通信器１０３は、ネットワーク上の蓄電池貸与装置２及び情報端末３などの各種機器と通信を行う。なお、通信器１０３は、ネットワーク上の各種機器と通信を行うことができれば、有線通信用及び無線通信用の何れであってもよく、また、どのような通信方式のものであってもよい。
＜蓄電池貸与装置２の構成＞
図８は図２の蓄電池貸与装置２の構成を示すブロック図である。
【００２９】
カードリーダライタ２２はＰＣ２１に接続され、会員カード等のカードから情報を読み取ってＰＣ２１に出力し、ＰＣ２１からの情報をカードに書き込む。
ＰＣ２１は、図８に示すように、記憶器２１１と、操作器２１２と、表示器２１３と、制御器２１４と、通信器２１５、２１６とを備える。
記憶器２１１には、ＰＣ２１を制御するための各種制御プログラム、各種アプリケーションプログラムなどのプログラム、及び、各種データが記憶される。なお、記憶器２１１は、例えば半導体メモリまたはＨＤＤなどで構成される。
【００３０】
操作器２１２は、例えば、キーボードまたは表示器２１３の表示画面上に配置されたタッチセンサなどにより構成され、押されたキーを示す信号またはタッチされた位置を示す信号を制御器２１４に出力する。
表示器２１３は、ディスプレイなどにより構成され、制御器２１４から入力される表示データに基づく表示を行う。
【００３１】
制御器２１４は、ＰＣ２１全体の制御及び各種演算を行うものであり、例えばＣＰＵなどのプロセッサにより構成される。
通信器２１５は、ネットワーク上のサーバ装置１１などの各種機器と通信を行う。なお、通信器２１５は、ネットワーク上の各種機器と通信を行うことができれば、有線通信用及び無線通信用の何れであってもよく、また、どのような通信方式のものであってもよい。
【００３２】
通信器２１６は、例えばＵＳＢ（登録商標）などの通信器であり、接続されたカードリーダライタ２２などの各種機器と通信を行う。なお、通信器２１６は、接続された各種機器と通信を行うことができれば、有線通信用及び無線通信用の何れであってもよく、また、どのような通信方式のものであってもよい。
蓄電池収納器２４は、記憶器２４１と、制御器２４２と、通信器２４３と、充電器２４４と、検出器２４５とを備える。
【００３３】
記憶器２４１には、蓄電池収納器２４を制御するための各種制御プログラム及び各種アプリケーションプログラムなどのプログラム、及び、各種データが記憶される。なお、記憶器２４１は、例えば半導体メモリなどで構成される。
制御器２４２は、蓄電池収納器２４全体の制御及び各種演算を行うものであり、例えばＣＰＵなどのプロセッサにより構成される。
【００３４】
通信器２４３は、ネットワーク上のサーバ装置１１などの各種機器と通信を行う。なお、通信器２４３は、ネットワーク上の各種機器と通信を行うことができれば、有線通信用及び無線通信用の何れであってもよく、また、どのような通信方式のものであってもよい。
充電器２４４は、制御器２４２の制御を受けて、蓄電池パックの充電を行う。
検出器２４５は、制御器２４２の制御を受けて、蓄電池パックの電池残量の検出または学習容量の検出を行う。
【００３５】
＜情報端末３の構成＞
図９は、図２の情報端末３の構成を示すブロック図である。
情報端末３は、図９に示すように、記憶器３０１と、操作器３０２と、表示器３０３と、制御器３０４と、通信器３０５、３０６と、アンテナ３０５ａ、３０６ａと、ＧＰＳ（Ｇｌｏｂａｌ  Ｐｏｓｉｔｉｏｎｉｎｇ  Ｓｙｓｔｅｍ）器３０７と、アンテナ３０７ａとを備える。なお、情報端末３は、例えばスマートフォン、腕時計型携帯端末などである。
【００３６】
記憶器３０１には、情報端末３を制御するための各種制御プログラム及び各種アプリケーションプログラムなどのプログラム、及び、各種データが記憶される。なお、記憶器３０１は、例えば半導体メモリなどで構成される。
例えば、アプリケーションプログラムとして、ユーザが蓄電池パックのレンタル予約システムを利用するためのアプリケーションプログラム（以下、「蓄電池予約アプリケーションプロクラム」と記載する。）がある。
【００３７】
また、記憶器３０１には、蓄電池予約アプリケーション（以下、「蓄電池予約アプリ」と記載する。）を利用してユーザが設定したサービスセンタを検索する対象となるエリアを示すエリア情報、及び、ユーザが設定した報知基準を示す報知基準情報が記憶される。
操作器３０２は、例えば、表示器３０３の表示画面上に配置されたタッチセンサなどにより構成され、タッチされた位置を示す信号を制御器３０４に出力する。
【００３８】
表示器３０３は、ディスプレイなどにより構成され、制御器３０４から入力される表示データに基づく表示を行う。
制御器３０４は、情報端末３全体の制御及び各種演算を行うものであり、例えばＣＰＵなどのプロセッサにより構成される。
制御器３０４は、例えば、記憶器３０１に記憶されている蓄電池予約アプリケーションプロクラムを基に蓄電池予約アプリを起動して実行する。なお、この蓄電池予約アプリでは、制御器３０４は、エリア設定器３２１、蓄電池交換予約器３２２、報知基準設定器３２３、及び報知処理器３２４を含む蓄電池予約処理器３１１として機能する。各機能部の処理内容の詳細はフローチャートを利用して後述するとして、ここではこれらの処理内容を簡単に記載する。
【００３９】
エリア設定器３２１は、ユーザ操作の内容に基づき、サービスセンタをどのようなエリアを検索する対象となるエリアの設定に関連する処理を行う。蓄電池交換予約器３２２は、サーバ装置１１によって検索された、設定されたエリア内に位置するサービスセンタの表示、及び、ユーザが当該表示に基づいて選択したサービスセンタへの蓄電池パックの交換の予約に関連する処理を行う。
【００４０】
報知基準設定器３２３は、ユーザ操作の内容に基づき、蓄電池パックの蓄電池情報（例えば、蓄電池パックの電池残量または蓄電池パックの劣化度合いを示すクラス）または蓄電池パックのレンタル期間情報（例えば、返却日までの日数）をどのようなタイミングでユーザに報知するかの報知基準の設定処理に関連する処理を行う。報知処理器３２４は、設定された報知基準に従って蓄電池パックの蓄電池情報またはそのレンタル期間情報の表示に関連する処理を行う。なお、この報知基準は、ユーザに対して蓄電池パックの交換を促すタイミングの報知基準と見ることもできる。そして、この報知は、ユーザに対して蓄電池パックの交換を促す報知と見ることもでき、ユーザの蓄電池パックの交換の判断を支援することになる。
【００４１】
通信器３０５は、アンテナ３０５ａを介してネットワーク上のサーバ装置１１及び蓄電池貸与装置２などの各種機器と通信を行う。なお、通信器３０５は、ネットワーク上の各種機器と通信を行うことができれば、有線通信用及び無線通信用の何れであってもよく、また、どのような通信方式であってもよい。
通信器３０６は、アンテナ３０６ａを介して蓄電池パック５などの各種機器と通信を行う、例えばＢｌｕｅｔｏｏｔｈ（登録商標）などの近接無線通信用の通信器である。なお、通信器３０６は、各種機器と通信を行うことができれば、有線通信用及び無線通信用の何れであってもよく、また、どのような通信方式であってもよい。
【００４２】
ＧＰＳ器３０７は、アンテナ３０７ａで受信した電波を利用して現在位置を測定する。なお、現在位置を特定できる手段であればＧＰＳ以外を利用するものであってもよい。
＜蓄電池パック５の構成＞
図１０は図２の蓄電池パックの構成を示すブロック図である。
蓄電池パック５は、図１０に示すように、記憶器５０１と、制御器５０２と、通信器５０３と、アンテナ５０３ａと、電力入出力器５０４と、検出器５０５と、バッテリなどの蓄電池５０６とを備える。
【００４３】
記憶器５０１には、蓄電池パック５を制御するための各種制御プログラム及び各種アプリケーションプログラムなどのプログラム、及び、各種データが記憶される。なお、記憶器５０１は、例えば半導体メモリなどで構成される。
例えば、記憶器５０１には、充電された年月日を示す充電履歴情報が記憶される。なお、記憶器５０１に記憶される充電履歴は例えば直近の数回分の充電年月日である。
【００４４】
制御器５０２は、蓄電池パック５全体の制御及び各種演算を行うものであり、例えばＣＰＵなどのプロセッサにより構成される。
通信器５０３は、アンテナ５０３ａを介して情報端末３などの各種機器と通信を行う、例えばＢｌｕｅｔｏｏｔｈ（登録商標）などの近接無線通信用の通信器である。なお、通信器５０３は、各種機器と通信を行うことができれば、有線通信用及び無線通信用の何れであってもよく、また、どのような通信方式であってもよい。
【００４５】
電力入出力器５０４は、例えば、蓄電池収納器２４の充電器２４４及び電動アシスト自転車４などの電力用のコネクタと接続される。そして、電力入出力器５０４は、制御器５０２の制御を受けて、蓄電池５０６の電力を外部に出力し、外部からの電力を蓄電池５０６へ出力する。
検出器５０５は、制御器５０２の制御を受けて、蓄電池パックの電池残量の検出を行う。
【００４６】
＜携帯端末の表示内容とその遷移＞
［蓄電池予約アプリのトップページの一例］
図１１は、蓄電池予約アプリのトップページの一例を示す図である。
蓄電池予約アプリのトップページには、情報端末３と無線接続された蓄電池パック５の蓄電池情報またはそのレンタル期間情報を表示する表示領域Ａ１がある。図１１の例では、蓄電池パックの電池残量とその劣化度合いを示すクラスが蓄電池情報として表示される。また、返却までの日数がレンタル期間情報として表示される。なお、レンタル期間情報として、返却までの日数の代わりに返却日を表示するようにしてもよい。ここで、蓄電池パックの電池残量は、蓄電池パックの電池残量に関する情報の一例である。
【００４７】
蓄電池予約アプリには、機能として、蓄電池の交換予約に関する機能（以下、「蓄電池交換予約機能」と言う。）、サービスセンタを検索するエリアの設定に関する機能（以下、「エリア設定機能」と言う。）、蓄電池パックの蓄電池情報またはレンタル期間情報の報知基準の設定に関する機能（以下、「報知基準設定機能」と言う。）などがある。
トップページには、蓄電池交換予約機能、エリア設定機能、及び報知基準設定機能の夫々に対応した“満充電交換  予約”ボタンＡ２、“エリア設定”ボタンＡ３、及び“報知設定”ボタンＡ４が設けられている。ユーザはボタンＡ２〜Ａ４をタッチすることによって利用する機能を選ぶことができる。
【００４８】
また、トップページには、表示中のトップページを表示器３０３から閉じるための“閉じる”ボタンＡ５が設けられている。
［エリア設定機能の利用における表示ページの一遷移例］
図１２は、蓄電池予約アプリにおけるサービスセンタを検索するエリアの設定における表示内容の一遷移例を示す図である。
【００４９】
なお、サービスセンタを検索するエリアの設定においてユーザは電動アシスト自転車４に搭載された蓄電池パックの電池残量で到達可能なエリアを考慮して設定しなくもよい。つまり、設定されるエリアが、蓄電池残量で到達可能なエリア以外のエリアを含むような場合もある。
図１２（ａ）は図１１で説明した蓄電池予約アプリのトップページであり、このトップページでユーザが“エリア設定”ボタンＡ３をタッチしたとする。これにより、表示器３０３の表示内容は、図１２（ａ）のトップページから、図１２（ｂ）に一例を示すエリア設定ページに切り替わる。
【００５０】
蓄電池予約アプリでは、設定されるエリアの候補として、［この付近］、［よく通る道の付近］、［自宅の付近］、及び［目的地までのルート付近］がある。なお、［この付近］は、エリア設定機能利用時の情報端末３が存在する付近ではなくて、蓄電池交換予約機能利用時の情報端末３が存在する付近である。
エリア設定ページには、これら４つのエリアの候補の夫々に対応する“この付近”ボタンＡ１１、“よく通る道の付近”ボタンＡ１２、“自宅の付近”ボタンＡ１３、及び“目的地までのルート付近”ボタンＡ１４が設けられている。ユーザはボタンＡ１１〜Ａ１４をタッチすることで希望するエリアを選ぶことができる。
【００５１】
但し、ユーザは、蓄電池交換予約機能利用時の情報端末３が存在する位置（現在地点）から設定距離内のエリアをサービスセンタの検索エリアとする場合には“この付近”ボタンＡ１１をタッチする。また、ユーザは、設定したよく通る道から設定距離内にあるエリアをサービスセンタの検索エリアとする場合には“よく通る道の付近”ボタンＡ１２をタッチする。さらに、ユーザは、自宅の位置から設定距離内にあるエリアをサービスセンタの検索エリアとする場合には“自宅の付近”ボタンＡ１３をタッチする。さらに、ユーザは、蓄電池交換予約機能利用時の情報端末３が存在する位置（現在地点）から設定した目的地までのルートから設定距離内にあるエリアをサービスセンタの検索エリアとする場合には“目的地までのルート付近”ボタンＡ１４をタッチする。
【００５２】
また、エリア設定ページには、ユーザがデフォルトで設定されているエリアをサービスセンタの検索エリアとする場合にタッチする“デフォルト”ボタンＡ１５が設けられている。
さらに、エリア設定ページには、タッチされたボタンＡ１１〜Ａ１４に対応するエリアの詳細を設定する場合にユーザによってタッチされる“詳細設定”ボタンＡ１６が設けられている。なお、本実施の形態では、詳細設定の内容は上記の設定距離をどの程度の距離にするかである。
【００５３】
さらに、エリア設定ページには、タッチされたボタンＡ１１〜Ａ１５に対応するエリアで設定登録する場合にユーザによってタッチされる“設定登録”ボタンＡ１７が設けられている。なお、ボタンＡ１１〜Ａ１４の何れかがタッチされた後に、“設定登録”ボタンＡ１７がタッチされた場合、サービスセンタの検索エリアは、タッチされたボタンＡ１１〜Ａ１４に対応するエリアと設定された距離（上記の設定距離に対応）に基づいて設定される。また、ボタンＡ１５がタッチされた後に、“設定登録”ボタンＡ１７がタッチされた場合、サービスセンタの検索エリアは、デフォルトの設定内容に基づいて設定される。
【００５４】
エリア設定ページで、ユーザが、“この付近”ボタンＡ１１をタッチした後に、“詳細設定”ボタンＡ１６をタッチしたとする。これにより、表示器３０３の表示内容は、図１２（ｂ）のエリア設定ページから、図１２（ｃ）に一例を示す［この付近］用のエリア詳細設定ページに切り替わる。
なお、本実施の形態においては、［よく通る道の付近］、［自宅の付近］、及び［目的地までのルート付近］用のエリア詳細設定ページが設けられている。本実施の形態では、これら用のエリア詳細設定ページは、［この付近］用のエリア詳細設定ページの［この付近］の表示が［よく通る道の付近］、［自宅の付近］、及び［目的地までのルート付近］の表示に置き換わったものであるとする。
【００５５】
［この付近］用のエリア詳細設定ページでは、設定されるエリアが［この付近］であることが表示されるとともに、距離設定ウインドウＡ２１が設けられている。ユーザは、距離設定ウインドウＡ２１を利用して、サービスセンタの検索エリアとする現在地点からの距離を指定することができる。
また、エリア詳細設定ページには、ユーザが図１２（ｂ）のエリア設定ページに戻る場合にタッチする“戻る”ボタンＡ２２が設けられている。
【００５６】
さらに、エリア詳細設定ページには、タッチしたボタンＡ１１〜Ａ１４に対応するエリア及び距離設定ウインドウＡ２１で指定した距離で設定登録する場合にユーザによってタッチされる“設定登録”ボタンＡ２３が設けられている。なお、“設定登録”ボタンＡ２３がタッチされた場合、サービスセンタの検索エリアは、タッチされたボタンＡ１１〜Ａ１４に対応するエリアと、距離設定ウインドウＡ２１で指定された距離とに基づいて設定されることになる。
【００５７】
エリア詳細設定ページで、ユーザが、“設定登録”ボタンＡ２３をタッチしたとする。これにより、表示器３０３の表示内容は、図１２（ｃ）のエリア詳細設定ページから、図１２（ｄ）に一例を示す設定登録完了ページに切り替わる。
設定登録完了ページには、サービスセンタの検索エリアの設定が完了した旨とその検索エリアに関する情報とを表示する表示領域Ａ３１がある。また、設定登録完了ページには、表示中の設定登録完了ページを表示器３０３から閉じるための“閉じる”ボタンＡ３２が設けられている。
【００５８】
なお、図１２（ｂ）のエリア設定ページにおいて、ユーザが“設定登録”ボタンＡ１７をタッチした場合、表示器３０３の表示内容は、図１２（ｂ）のエリア設定ページから、図１２（ｄ）の設定登録完了ページに切り替わる。
［報知基準設定機能の利用における表示ページの一遷移例］
図１３は、蓄電池予約アプリにおける蓄電池パックの蓄電池情報及びレンタル期間情報の報知基準の設定における表示内容の遷移の一例を示す図である。
【００５９】
図１３（ａ）は図１１で説明した蓄電池予約アプリのトップページであり、このトップページでユーザが“報知設定”ボタンＡ４をタッチしたとする。これにより、表示器３０３の表示内容は、図１３（ａ）のトップページから、図１３（ｂ）に一例を示す報知基準設定ページに切り替わる。
蓄電池予約アプリでは、報知基準として、［電池残量減少］、及び［定期的］があり、この２つの報知基準の夫々に対応する“電池残量減少”ボタンＢ１１、及び“定期的”ボタンＢ１２が設けられている。ユーザはボタンＢ１１、Ｂ１２をタッチすることで希望する報知基準を選ぶことができる。
【００６０】
但し、ユーザは、蓄電池パックの電池残量の低下を報知基準とする場合には“電池残量減少”ボタンＢ１１をタッチする。また、ユーザは、定期的な電池残量の報知を報知基準とする場合には“定期的”ボタンＢ１２をタッチする。
また、報知基準設定ページには、ユーザがデフォルトの設定内容を報知基準とする場合にタッチする“デフォルト”ボタンＢ１３が設けられている。
【００６１】
さらに、報知基準設定ページには、タッチされたボタンＢ１１〜Ｂ１２に対応する報知基準の詳細を設定する場合にユーザによってタッチされる“詳細設定”ボタンＢ１４が設けられている。なお、本実施の形態では、［電池残量減少］に関する詳細設定の内容は報知が行われる電池残量の設定である。蓄電池パックの電池残量が、設定された電池残量以下になると、情報端末３の表示画面に電池残量の低下を示す情報が表示される。また、［定期的］に関する詳細設定の内容は報知が行われる間隔（日数）の設定である。
【００６２】
さらに、報知基準設定ページには、タッチされたボタンＢ１１〜Ｂ１３に対応する報知基準で設定登録する場合にユーザによってタッチされる“設定登録”ボタンＢ１５が設けられている。なお、ボタンＢ１１、Ｂ１２の何れかがタッチされた後に、“設定登録”ボタンＢ１５がタッチされた場合、報知タイミングは、タッチされたボタンＢ１１、Ｂ１２の報知基準と設定された電池残量又は日数に基づいて設定される。また、ボタンＢ１３がタッチされた後に、“設定登録”ボタンＢ１５がタッチされた場合、報知タイミングは、デフォルトの設定内容に基づいて設定される。
【００６３】
報知基準設定ページで、ユーザが、“電池残量減少”ボタンＢ１１をタッチした後に、
“詳細設定”ボタンＢ１４をタッチしたとする。これにより、表示器３０３の表示内容は、図１３（ｂ）の報知基準設定ページから、図１３（ｃ）に一例を示す［電池残量減少］用の報知基準詳細設定ページに切り替わる。
報知基準詳細設定ページでは、報知基準が［電池残量減少］であることが表示されるとともに、電池残量設定ウインドウＢ２１が設けられている。ユーザは、電池残量設定ウインドウＢ２１を利用して、情報端末３が蓄電池パックの電池残量が低下したことを示す情報の報知を受ける電池残量の閾値を設定することができる。蓄電池パックの電池残量が上記閾値以下になると、情報端末３は電池残量の低下を示す情報の報知を受ける。
【００６４】
また、報知基準詳細設定ページには、ユーザが図１３（ｂ）の報知基準設定ページに戻る場合にタッチする“戻る”ボタンＢ２２が設けられている。
さらに、報知基準詳細設定ページには、タッチしたボタンＢ１１の報知基準［電池残量減少］及び電池残量設定ウインドウＢ２１で指定した電池残量で報知タイミングを設定登録する場合にユーザによってタッチされる“設定登録”ボタンＢ２３が設けられている。
【００６５】
報知基準詳細設定ページで、ユーザが“設定登録”ボタンＢ２３をタッチしたとする。これにより、表示器３０３の表示内容は、図１３（ｃ）の報知基準詳細設定ページから、図１３（ｄ）に一例を示す［電池残量減少］用の設定登録完了ページに切り替わる。
設定登録完了ページには、報知タイミングの設定が完了した旨とその報知タイミングに関する情報とを表示する表示領域Ｂ３１がある。また、設定登録完了ページには、表示中の設定登録完了ページを表示器３０３から閉じるための“閉じる”ボタンＢ３２が設けられている。
【００６６】
なお、図１３（ｂ）の報知基準設定ページにおいて、ユーザが“電池残量減少”ボタンＢ１１をタッチした後に、“設定登録”ボタンＢ１５をタッチした場合、表示器３０３の表示内容は、図１３（ｂ）の報知基準設定ページから、図１３（ｄ）の設定登録完了ページに切り替わる。
［報知基準設定機能の利用における表示ページの他の遷移例］
図１４は、蓄電池予約アプリにおける蓄電池パックの蓄電池情報及びレンタル期間情報の報知基準の設定における表示内容の遷移の他の例を示す図である。
【００６７】
図１４（ａ）及び図１４（ｂ）は夫々図１３（ａ）及び図１３（ｂ）に対応する蓄電池予約アプリのトップページ及び報知基準設定ページである。
報知基準設定ページで、ユーザが、“定期的”ボタンＢ１２をタッチした後に、“詳細設定”ボタンＢ１４をタッチしたとする。これにより、表示器３０３の表示内容は、図１４（ｂ）の報知基準設定ページから、図１４（ｃ）に一例を示す［定期的］用の報知基準詳細設定ページに切り替わる。
【００６８】
報知基準詳細設定ページでは、報知基準が［定期的］であることが表示されるとともに、日数設定ウインドウＢ５１が設けられている。ユーザは、日数設定ウインドウＢ５１を利用して、どの程度の間隔で報知を受けるかを指定することができる。
また、報知基準詳細設定ページには、ユーザが図１４（ｂ）の報知基準設定ページに戻る場合にタッチする“戻る”ボタンＢ５２が設けられている。
【００６９】
さらに、報知基準詳細設定ページには、タッチしたボタンＢ１２に対応する報知基準［定期的］及び日数設定ウインドウＢ５１で指定した日数で報知タイミングを設定登録する場合にユーザによってタッチされる“設定登録”ボタンＢ５３が設けられている。
報知基準詳細設定ページで、ユーザが“設定登録”ボタンＢ５３をタッチしたとする。これにより、表示器３０３の表示内容は、図１４（ｃ）の報知基準詳細設定ページから、図１４（ｄ）に一例を示す［定期的］用の設定登録完了ページに切り替わる。
【００７０】
設定登録完了ページには、報知タイミングの設定が完了した旨とその報知タイミングに関する情報とを表示する表示領域Ｂ６１がある。また、設定登録完了ページには、表示中の設定登録完了ページを表示器３０３から閉じるための“閉じる”ボタンＢ６２が設けられている。
なお、図１４（ｂ）の報知基準設定ページにおいて、ユーザが“定期的”ボタンＢ１２をタッチした後に、“設定登録”ボタンＢ１５をタッチした場合、表示器３０３の表示内容は、図１４（ｂ）の報知基準設定ページから、図１４（ｄ）の設定登録完了ページに切り替わる。
【００７１】
［蓄電池交換予約機能の利用における表示ページの一遷移例］
図１５は、蓄電池予約アプリにおける蓄電池パックの交換の予約における表示内容の遷移の一例を示す図である。但し、図１５は、設定されたエリアが［この付近］の場合の例である。
図１５（ａ）は図１１で説明した蓄電池予約アプリのトップページであり、このトップページでユーザが“満充電交換  予約”ボタンＡ２をタッチしたとする。これにより、表示器３０３の表示内容は、図１５（ａ）のトップページから、図１５（ｂ）に一例を示すセンタ予約ページに切り替わる。
【００７２】
蓄電池予約アプリでは、最大３か所のサービスセンタが表示器３０３に（１）〜（３）として表示される。
この表示されるサービスセンタは、次の（Ａ）〜（Ｃ）を満たすようなものである。
（Ａ）エリア設定機能により設定されたサービスセンタの検索エリア内に存在するサービスセンタである。
【００７３】
（Ｂ）ユーザが所持している蓄電池パックの劣化レベルと同等の劣化レベルの蓄電池パックであって、且つ、貸与可能な蓄電池パックが存在するサービスセンタである。ここで、貸与可能な蓄電池パックとは、例えば、ユーザに貸与できる程度に充電がされている蓄電池パックである。
（Ｃ）（Ａ）及び（Ｂ）を満たすサービスセンタのうちの現在地点から近い３つのサービスセンタである。
【００７４】
なお、（１）〜（３）のサービスセンタは、現在地点から近い順になっている。これにより、ユーザは現在地点からどこが一番近いかなどを知った上で蓄電池パックの交換の予約を行うことができる。
センタ予約ページでは、（１）〜（３）のサービスセンタに関して、サービスセンタの所在地及びその名称が表示されるとともに、当該サービスセンタが保管している蓄電池パックのうち所定の条件を満たす台数が表示される。本実施の形態での表示台数は、ユーザが所持している蓄電池パックの劣化レベルと同等の劣化レベルの蓄電池パックであって、貸与可能な蓄電池パックの数である。これにより、ユーザはサービスセンタに同等の劣化レベルで貸与可能な蓄電池パックがどの程度あるかを知った上で蓄電池パックの交換の予約を行うことができる。上記所定の条件は、貸与において満たすべき必要な条件であって適宜設定される。なお、上記蓄電池パックの台数の表示は、上記所定の条件を考慮せず、サービスセンタが保管する蓄電池パックの台数を表示してもよい。
【００７５】
但し、センタ予約ページでのサービスセンタの表示では、お勧めのサービスセンタを太文字で表示している。なお、お勧めするサービスセンタとそれ以外とが区別することができるような表示態様であればどのような表示態様が用いられてもよい。例えば、お勧めのサービスセンタは現在地点から最も近いサービスセンタである。
なお、表示されるサービスセンタの最大数は特に限定されるものではない。
【００７６】
センタ予約ページでは、（１）〜（３）のサービスセンタの夫々に対応する“予約”ボタンＣ１１〜Ｃ１３が設けられている。ユーザは、ボタンＣ１１〜Ｃ１３をタッチすることによって、タッチしたＣ１１〜Ｃ１３のサービスセンタに対して蓄電池パックの交換を予約することができる。
また、センタ予約ページには、ユーザが（１）〜（３）のサービスセンタがどこにあるかを地図上で見たい場合にタッチする“地図参照”ボタンＣ１４が設けられている。例えば、ユーザがサービスセンタの住所だけではどこにあるかが分からない場合に、サービスセンタの位置が示された地図を閲覧することによってその場所の把握が容易になる。
【００７７】
さらに、センタ予約ページには、ユーザが表示中のセンタ予約ページを表示器３０３から閉じるための“閉じる”ボタンＣ１５が設けられている。
センタ予約ページで、ユーザが“地図参照”ボタンＣ１４をタッチしたとする。これにより、表示器３０３の表示内容は、図１５（ｂ）のセンタ予約ページから、図１５（ｃ）に一例を示すセンタ地図予約ページに切り替わる。
【００７８】
このセンタ地図予約ページには、サービスセンタの検索エリアに対応し、センタ予約ページで表示された（１）〜（３）のサービスセンタの位置を表示する表示領域Ｃ２１がある。（１）〜（３）のサービスセンタに対応して、サービスセンタが保管している、ユーザが所持している蓄電池パックの劣化レベルと同等以下の劣化レベルの蓄電池パックであって、貸与可能な蓄電池パックの数が、クラス毎に分類して表示される。これにより、ユーザはサービスセンタに同等以下の劣化レベルで貸与可能な蓄電池パックがクラス毎にどの程度あるかを知った上で蓄電池パックの交換の予約を行うことができる。
【００７９】
また、センタ地図予約ページには、ユーザが図１５（ｂ）のセンタ予約ページに戻る場合にタッチする“センタ予約ページに戻る”ボタンＣ２２が設けられている。
さらに、センタ地図予約ページでは、ユーザは地図上で（１）〜（３）のサービスセンタをタッチすることによって予約を行うことができるようになっている。
例えば、ユーザが地図上で（１）のサービスセンタをタッチした場合、表示器３０３の表示内容は、図１５（ｃ）のセンタ地図予約ページから図１５（ｄ）に一例を示す予約完了ページに切り替わる。
【００８０】
予約完了ページには、蓄電池パックの予約が完了した旨等を表示する表示領域Ｃ３１がある。また、予約完了ページには、表示中の予約完了ページを表示器３０３から閉じるための“閉じる”ボタンＣ３２が設けられている。
なお、図１５（ｂ）のセンタ予約ページにおいて、ユーザが“予約”ボタンＣ１１をタッチした場合、表示器３０３の表示内容は、図１５（ｂ）のセンタ予約ページから図１５（ｄ）の予約完了ページに切り替わる。
【００８１】
［蓄電池交換予約機能の利用における表示ページの他の遷移例］
図１６は、蓄電池予約アプリにおける蓄電池パックの交換の予約における表示内容の遷移の他の例を示す図である。但し、図１６は、設定されたエリアが［よく通る道の付近］の場合の例である。
図１１で説明した蓄電池予約アプリのトップページで、ユーザが“満充電交換  予約”ボタンＡ２をタッチしたとする。これにより、表示器３０３の表示内容は、図１１のトップページから、図１６（ａ）に一例を示すルート指定ページに切り替わる。
【００８２】
ルート指定ページには、地図が表示されたルート指定領域Ｃ５１がある。ユーザはこのルート指定領域Ｃ５１に対して指等を押した状態で指を移動させることによってよく通る道のルートを指定することができる。また、ルート指定ページには、“次へ”ボタンＣ５２が設けられている。
ルート指定ページにおいて、ユーザが“次へ”ボタンＣ５２をタッチしたとする。これにより、表示器３０３の表示内容は、図１６（ａ）のルート指定ページから図１６（ｂ）に一例を示すセンタ予約ページに切り替わる。
【００８３】
但し、図１６（ｂ）、（ｃ）、（ｄ）は、図１５（ｂ）、（ｃ）、（ｄ）に対応するものである。
なお、図１６（ｂ）で表示される最大３か所のサービスセンタ（１）〜（３）は、次の（Ａ）〜（Ｃ）を満たすようなものである。
（Ａ）エリア設定機能により設定されたサービスセンタの検索エリア内に存在するサービスセンタである。
【００８４】
（Ｂ）ユーザが所持している蓄電池パックの劣化レベルと同等の劣化レベルの蓄電池パックであって、且つ、貸与可能な蓄電池パックが存在するサービスセンタである。
（Ｃ）（Ａ）及び（Ｂ）を満たすサービスセンタのうちのよく通る道のルートから近い３つのサービスセンタである。
なお、（１）〜（３）のサービスセンタは、よく通る道のルートから近い順になっている。
【００８５】
［蓄電池交換予約機能の利用における表示ページの更に他の遷移例］
図１７は、蓄電池予約アプリにおける蓄電池パックの交換の予約における表示内容の遷移の更に他の例を示す図である。但し、図１７は、設定されたエリアが［自宅の付近］の場合の例である。
図１１で説明した蓄電池予約アプリのトップページで、ユーザが“満充電交換  予約”ボタンＡ２をタッチしたとする。これにより、表示器３０３の表示内容は、図１１のトップページから、図１７（ａ）に一例を示す自宅入力ページに切り替わる。
【００８６】
自宅入力ページには、ユーザが自宅の住所を入力するための住所入力領域Ｃ６１が設けられているとともに、“次へ”ボタンＣ６２が設けられている。
なお、自宅の住所は地図上をタッチすることによって入力することができるようなものであってもよい。
自宅入力ページにおいて、ユーザが“次へ”ボタンＣ６２をタッチしたとする。これにより、表示器３０３の表示内容は、図１７（ａ）の自宅入力ページから図１７（ｂ）に一例を示すセンタ予約ページに切り替わる。
【００８７】
但し、図１７（ｂ）、（ｃ）、（ｄ）は、図１５（ｂ）、（ｃ）、（ｄ）に対応するものである。
なお、図１７（ｂ）で表示される最大３か所のサービスセンタ（１）〜（３）は、次の（Ａ）〜（Ｃ）を満たすようなものである。
（Ａ）エリア設定機能により設定されたサービスセンタの検索エリア内に存在するサービスセンタである。
【００８８】
（Ｂ）ユーザが所持している蓄電池パックの劣化レベルと同等の劣化レベルの蓄電池パックであって、且つ、貸与可能な蓄電池パックが存在するサービスセンタである。
（Ｃ）（Ａ）及び（Ｂ）を満たすサービスセンタのうちの自宅から近い３つのサービスセンタである。
なお、（１）〜（３）のサービスセンタは、自宅から近い順になっている。
【００８９】
［蓄電池交換予約機能の利用における表示ページの更に他の遷移例］
図１８は、蓄電池予約アプリにおける蓄電池パックの交換の予約における表示内容の遷移の更に他の例を示す図である。但し、図１８は、設定されたエリアが［目的地までのルート付近］の場合の例である。
図１１で説明した蓄電池予約アプリのトップページで、ユーザが“満充電交換  予約”ボタンＡ２をタッチしたとする。これにより、表示器３０３の表示内容は、図１１のトップページから、図１８（ａ）に一例を示す目的地入力ページに切り替わる。
【００９０】
目的地入力ページには、ユーザが目的地を入力するための目的地入力領域Ｃ７１が設けられているとともに、“次へ”ボタンＣ７２が設けられている。
なお、目的地は地図上をタッチすることによって入力することができるようなものであってもよい。
目的地入力ページにおいて、ユーザが“次へ”ボタンＣ７２をタッチしたとする。これにより、表示器３０３の表示内容は、図１８（ａ）の目的地入力ページから図１８（ｂ）に一例を示すセンタ予約ページに切り替わる。
【００９１】
但し、図１８（ｂ）、（ｃ）、（ｄ）は、図１５（ｂ）、（ｃ）、（ｄ）に対応するものである。
なお、図１８（ｂ）で表示される最大３か所のサービスセンタ（１）〜（３）は、次の（Ａ）〜（Ｃ）を満たすようなものである。
（Ａ）エリア設定機能により設定されたサービスセンタの検索エリア内に存在するサービスセンタである。
【００９２】
（Ｂ）ユーザが所持している蓄電池パックの劣化レベルと同等の劣化レベルの蓄電池パックであって、且つ、貸与可能な蓄電池パックが存在するサービスセンタである。
（Ｃ）（Ａ）及び（Ｂ）を満たすサービスセンタのうちの現在地点から目的地までのルートから近い３つのサービスセンタである。
なお、（１）〜（３）のサービスセンタは、現在地点から目的地までのルートから近い順になっている。
【００９３】
［蓄電池予約アプリの報知ページの例］
図１９（ａ）及び図１９（ｂ）は、夫々、［電池残量低下］用及び［定期的］用の報知ページの例を示す図である。
［電池残量低下］用及び［定期的］用の報知ページには、夫々、情報端末３と無線接続された蓄電池パック５の蓄電池情報またはそのレンタル期間情報を表示する表示領域Ｄ１１及び表示領域Ｄ２１がある。図１９（ａ）、（ｂ）の例では、蓄電池池パックの電池残量とその劣化度合いを示すクラスが蓄電池情報として表示される。また、返却までの日数がレンタル期間情報として表示される。なお、レンタル期間情報として、返却までの日数の代わりに返却日を表示するようにしてもよい。
【００９４】
［電池残量低下］の報知ページの表示領域Ｄ１１では、蓄電池パックの電池残量が太文字で、且つ、他の情報より大きい字で表示されている。この蓄電池パックの電池残量の表示がユーザに電池残量の低下を報知する情報となっている。なお、報知ページに、蓄電池パックの電池残量が少なくなってきた旨の表示を追加するようにしてもよく、蓄電池パックの電池残量の代わりに表示するようにしてもよい。
【００９５】
また、［定期的］用の報知ページの表示領域Ｄ２１では、蓄電池パックのレンタル期間情報が太文字で、且つ、他の情報より大きい字で表示されている。
なお、その他のボタンＡ２〜Ａ５は、図１１で説明したボタンＡ２〜Ａ５と同等のボタンである。
＜情報端末の処理＞
［情報端末のメイン処理］
図２０は、図９の情報端末のメイン処理フローを示すフローチャートである。
【００９６】
情報端末３の制御器３０４は、操作器３０２から入力される信号に基づいて、ユーザが蓄電池予約アプリの起動操作を行ったか否かを判定する（ステップＳ１）。蓄電池予約アプリの起動操作が行われていないと判定した場合（Ｓ１：Ｎｏ）、制御器３０４はステップＳ１の処理に戻る。一方、蓄電池予約アプリの起動操作が行われたと判定した場合（Ｓ１：Ｙｅｓ）、制御器３０４は記憶器３０１に記憶されている蓄電池予約アプリケーションプロクラムを基に蓄電池予約アプリを起動して実行する（ステップＳ２）。
【００９７】
蓄電池予約処理器３１１は、蓄電池アプリのトップページの表示情報を取得する（ステップＳ３）。この表示情報には、電池残量を示す電池残量情報、及び蓄電池パックのクラスを示すクラス情報、並びに、蓄電池パックの返却までの日数を示すレンタル期間情報が含まれている。
なお、ステップＳ３の処理は例えば次のようにして行われる。
【００９８】
蓄電池予約処理器３１１は、通信器３０６を制御してアンテナ３０６ａを介して周辺にある蓄電池パックを探索するための探索信号をブロードキャスト又はマルチキャストにて送信する。この探索信号を受信した蓄電池パックは、自身の蓄電池ＩＤ及び検出器５０５で検出した電池残量を示す電池残量情報を含む応答信号を送信する。そして、蓄電池予約処理器３１１はこの応答信号を受信する。
【００９９】
そして、蓄電池予約処理器３１１は、サーバ装置１１に対して、トップページの表示情報の要求信号を、通信器３０５を制御してアンテナ３０５ａを介して送信する。この要求信号には、受信した蓄電池ＩＤ及び電池残量情報が含まれる。
サーバ装置１１の制御器１０２は、この要求信号を受けて、蓄電池管理データベース１１４を参照し、要求信号に含まれている蓄電池ＩＤの蓄電池パックのクラスを特定する。また、サーバ装置１１は、レンタル管理データベース１１３を参照し、蓄電池ＩＤの蓄電池パックを貸し出した年月日とそのレンタル期間を特定し、これらに基づいて返却までの日数を計算する。そして、サーバ装置１１は、蓄電池予約アプリのトップページの表示情報を作成して情報端末３に送信し、情報端末３はこの表示情報を受信する。この表示情報には、要求信号に含まれる電池残量情報と、特定したクラスを示すクラス情報と、計算した返却までの日数を示すレンタル期間情報が含まれる。
【０１００】
以上が、ステップＳ３の処理の一例である。
蓄電池予約処理器３１１は、サーバ装置１１から受信したトップページの表示情報に基づいて、蓄電池予約アプリのトップページ（図１１参照）を表示器３０３に表示する。そして、蓄電池予約処理器３１１は、操作器３０２からの入力信号に基づいて、トップページ上でのユーザ操作を受け付ける（ステップＳ４）。なお、トップページにおいて、ユーザはボタンＡ２〜Ａ５の何れかをタッチする。
【０１０１】
蓄電池予約処理器３１１は、ユーザが“エリア設定”ボタンＡ３をタッチしたか否かを判定する（ステップＳ５）。“エリア設定”ボタンＡ３がタッチされたと判定した場合（Ｓ５：Ｙｅｓ）、蓄電池予約処理器３１１はエリア設定処理を実行する（ステップＳ６）。
一方、ユーザによって“エリア設定”ボタンＡ３がタッチされていないと判定した場合（Ｓ５：Ｎｏ）、蓄電池予約処理器３１１は、ユーザが“報知設定”ボタンＡ４をタッチしたか否かを判定する（ステップＳ７）。“報知設定”ボタンＡ４がタッチされたと判定した場合（Ｓ７：Ｙｅｓ）、蓄電池予約処理器３１１は報知基準設定処理を実行する（ステップＳ８）。
【０１０２】
一方、“報知設定”ボタンＡ４がタッチされていないと判定した場合には（Ｓ７：Ｎｏ）、蓄電池予約処理器３１１は、ユーザが“満充電交換  予約”ボタンＡ２をタッチしたか否かを判定する（ステップＳ９）。“満充電交換  予約”ボタンＡ２がタッチされたと判定した場合（Ｓ９：Ｙｅｓ）、蓄電池予約処理器３１１は蓄電池交換予約処理を実行する（ステップＳ１０）。
【０１０３】
一方、“満充電交換  予約”ボタンＡ２がタッチされていないと判定した場合（Ｓ９：Ｎｏ）、蓄電池予約処理器３１１は、ユーザが“閉じる”ボタンＡ５をタッチしたか否かを判定する（ステップＳ１１）。“閉じる”ボタンＡ５がタッチされていないと判定した場合（Ｓ１１：Ｎｏ）、蓄電池予約処理器３１１はステップＳ５の処理に戻る。一方、“閉じる”ボタンＡ５がタッチされたと判定した場合（Ｓ１１：Ｙｅｓ）、蓄電池予約処理器３１１は、表示中のページを表示器３０３から閉じる（ステップＳ１２）。
【０１０４】
［情報端末のエリア設定処理］
図２１は図２０のエリア設定処理フローを示すフローチャートである。
蓄電池予約アプリのトップページにおいて、ユーザによって“エリア設定”ボタンＡ３がタッチされると、エリア設定器３２１は、エリア設定ページ（図１２（ｂ）参照）を表示器３０３に表示する。そして、エリア設定器３２１は、操作器３０２からの入力信号に基づいて、エリア設定ページ上でのユーザ操作を受け付ける（ステップＳ１０１）。なお、エリア設定ページにおいて、ユーザはボタンＡ１１〜Ａ１５の何れかのボタンをタッチした後、“設定登録”ボタンＡ１７をタッチする。または、ユーザはボタンＡ１１〜Ａ１４の何れかのボタンをタッチした後、“詳細設定”ボタンＡ１６をタッチする。
【０１０５】
エリア設定器３２１は、ユーザが“デフォルト”ボタンＡ１５をタッチしたか否かを判定する（ステップＳ１０２）。“デフォルト”ボタンＡ１５がタッチされたと判定した場合（Ｓ１０２：Ｙｅｓ）、エリア設定器３２１は、ユーザが“設定登録”ボタンＡ１７をタッチしたか否かを判定する（ステップＳ１０３）。“設定登録”ボタンＡ１７がタッチされていないと判定した場合（Ｓ１０３：Ｎｏ）、エリア設定器３２１はステップＳ１０３の処理に戻る。一方、“設定登録”ボタンＡ１７がタッチされたと判定した場合（Ｓ１０３：Ｙｅｓ）、エリア設定器３２１は、デフォルトの設定内容に基づきサービスセンタを検索するエリアの情報を、設定されたエリア情報として記憶器３０１に記憶する（ステップＳ１０４）。そして、ステップＳ１１６の処理が行われる。
【０１０６】
ステップＳ１０２において、“デフォルト”ボタンＡ１５がタッチされていないと判定した場合（Ｓ１０２：Ｎｏ）、エリア設定器３２１は、ユーザが“この付近”ボタンＡ１１をタッチしたか否かを判定する（ステップＳ１０５）。“この付近”ボタンＡ１１がタッチされたと判定した場合（Ｓ１０５：Ｙｅｓ）、エリア設定器３２１はステップＳ１０９の処理に進む。
【０１０７】
一方、“この付近”ボタンＡ１１がタッチされていないと判定した場合（Ｓ１０５：Ｎｏ）、エリア設定器３２１は、ユーザが“よく通る道の付近”ボタンＡ１２をタッチしたか否かを判定する（ステップＳ１０６）。“よく通る道の付近”ボタンＡ１２がタッチされたと判定した場合（Ｓ１０６：Ｙｅｓ）、エリア設定器３２１はステップＳ１０９の処理に進む。
【０１０８】
一方、“よく通る道の付近”ボタンＡ１２がタッチされていないと判定した場合（Ｓ１０６：Ｎｏ）、エリア設定器３２１は、ユーザが“自宅の付近”ボタンＡ１３をタッチしたか否かを判定する（ステップＳ１０７）。“自宅の付近”ボタンＡ１３がタッチされたと判定した場合（Ｓ１０７：Ｙｅｓ）、エリア設定器３２１はステップＳ１０９の処理に進む。
【０１０９】
一方、“自宅の付近”ボタンＡ１３がタッチされていないと判定した場合（Ｓ１０７：Ｎｏ）、エリア設定器３２１は、ユーザが“目的地までのルート付近”ボタンＡ１４をタッチしたか否かを判定する（ステップＳ１０８）。“目的地までのルート付近”ボタンＡ１４がタッチされたと判定した場合（Ｓ１０８：Ｙｅｓ）、エリア設定器３２１はステップＳ１０９の処理に進む。一方、“目的地までのルート付近”ボタンＡ１４がタッチされていないと判定した場合（Ｓ１０８：Ｎｏ）、エリア設定器３２１はステップＳ１０２の処理に戻る。
【０１１０】
ステップＳ１０９において、エリア設定器３２１は、ユーザが“詳細設定”ボタンＡ１６をタッチしたか否かを判定する（ステップＳ１０９）。“詳細設定”ボタンＡ１６がタッチされていないと判定した場合（Ｓ１０９：Ｎｏ）、エリア設定器３２１は、ユーザが“設定登録”ボタンＡ１７をタッチしたか否かを判定する（ステップＳ１１０）。“設定登録”ボタンＡ１７がタッチされていないと判定した場合（Ｓ１１０：Ｎｏ）、エリア設定器３２１はステップＳ１０９の処理に戻る。
【０１１１】
一方、“設定登録”ボタンＡ１７がタッチされたと判定した場合（Ｓ１１０：Ｙｅｓ）、エリア設定器３２１は、タッチされたボタンＡ１１〜Ａ１４のエリアと設定されている距離とに基づきサービスセンタの検索エリアを示す情報を、設定されたエリア情報として記憶器３０１に記憶する（ステップＳ１１１）。そして、ステップＳ１１６の処理が行われる。
なお、ステップＳ１１１で記憶器３０１に記憶されるエリア情報が示すサービスセンタの検索エリアは次のようなものである。設定されたエリアが［この付近］の場合、サービスセンタの検索エリアは、現在地点から設定されている距離内のエリアである。設定されたエリアが［よく通る道の付近］の場合、サービスセンタの検索エリアは、よく通る道のルートから設定されている距離内のエリアである。設定されたエリアが［自宅の付近］の場合、サービスセンタの検索エリアは、自宅から設定されている距離内のエリアである。設定されたエリアが［目的地までのルート付近］の場合、サービスセンタの検索エリアは、現在地点から目的地までのルートから設定されている距離内のエリアである。
【０１１２】
ステップＳ１０９において、“詳細設定”ボタンＡ１６がタッチされたと判定した場合（Ｓ１０９：Ｙｅｓ）、エリア設定器３２１は、タッチされたボタンＡ１１〜Ａ１４に対応するエリアに対応するエリア詳細設定ページを表示器３０３に表示する。そして、エリア設定器３２１は、操作器３０２からの入力信号に基づいて、エリア詳細設定ページ上でのユーザ操作を受け付ける（ステップＳ１１２）。例えば、ユーザが［この付近］に対応するボタンＡ１１をタッチした後に、“詳細設定”ボタンＡ１６がタッチされた場合には、図１２（ｃ）に一例を示す［この付近］用のエリア詳細設定ページが表示器３０３に表示される。なお、エリア詳細設定ページにおいて、ユーザは距離設定ウインドウＡ２１を使用して距離を指定した後、“設定登録”ボタンＡ２３をタッチする。または、ユーザは“戻る”ボタンＡ２２をタッチする。
【０１１３】
エリア設定器３２１は、ユーザが“戻る”ボタンＡ２２をタッチしたか否かを判定する（ステップＳ１１３）。“戻る”ボタンＡ２２がタッチされたと判定した場合（Ｓ１１３：Ｙｅｓ）、エリア設定器３２１はステップＳ１０１の処理に戻る。一方、“戻る”ボタンＡ２２がタッチされていないと判定した場合（Ｓ１１３：Ｎｏ）、エリア設定器３２１は、ユーザが“設定登録”ボタンＡ２３をタッチしたか否かを判定する（ステップＳ１１４）。“設定登録”ボタンＡ２３がタッチされていないと判定した場合（Ｓ１１４：Ｎｏ）、エリア設定器３２１はステップＳ１１３の処理に戻る。
【０１１４】
一方、“設定登録”ボタンＡ２３がタッチされたと判定した場合（Ｓ１１４：Ｙｅｓ）、エリア設定器３２１は、タッチされたボタンＡ１１〜Ａ１４に対応するエリアと距離設定ウインドウＡ２１で指定された距離とに基づきサービスセンタの検索エリアを示す情報を、設定されたエリア情報として記憶器３０１に記憶する（ステップＳ１１５）。そして、ステップＳ１１６の処理が行われる。
【０１１５】
なお、ステップＳ１１５で記憶器３０１に記憶されるエリア情報が示すサービスセンタの検索エリアは次のようなものである。設定されたエリアが［この付近］の場合、サービスセンタの検索エリアは、現在地点からユーザによって指定された距離内のエリアである。設定されたエリアが［よく通る道の付近］の場合、サービスセンタの検索エリアは、よく通る道のルートからユーザによって指定された距離内のエリアである。設定されたエリアが［自宅の付近］の場合、サービスセンタの検索エリアは、自宅からユーザによって指定された距離内のエリアである。設定されたエリアが［目的地までのルート付近］の場合、サービスセンタの検索エリアは、現在地点から目的地までのルートからユーザによって指定された距離内のエリアである。
【０１１６】
ステップＳ１１６において、エリア設定器３２１は設定登録完了ページ（図１２（ｄ）参照）を表示器３０３に表示する。そして、エリア設定器３２１は、操作器３０２からの入力信号に基づいて、設定登録完了ページ上でのユーザ操作を受け付ける（ステップＳ１１６）。なお、設定登録完了ページにおいて、ユーザは表示領域Ａ３１で設定登録内容を確認した後、“閉じる”ボタンＡ３２をタッチする。
【０１１７】
エリア設定器３２１は、ユーザが“閉じる”ボタンＡ３２をタッチしたか否かを判定する（ステップＳ１１７）。“閉じる”ボタンＡ３２がタッチされていないと判定した場合（Ｓ１１７：Ｎｏ）、エリア設定器３２１はステップＳ１１７の処理に戻る。一方、“閉じる”ボタンＡ３２がタッチされたと判定した場合（Ｓ１１７：Ｙｅｓ）、蓄電池予約処理器３１１は図１１のメインフローに戻る。
【０１１８】
［情報端末の報知基準設定処理］
図２２は図２０の報知基準設定処理フローを示すフローチャートである。
蓄電池予約アプリのトップページにおいて、ユーザによって“報知設定”ボタンＡ４がタッチされると、報知基準設定器３２３は、報知基準設定ページ（図１３（ｂ）、図１４（ｂ）参照）を表示器３０３に表示する。そして、報知基準設定器３２３は、操作器３０２からの入力信号に基づいて、報知基準設定ページ上でのユーザ操作を受け付ける（ステップＳ１５１）。なお、報知基準設定ページにおいて、ユーザはボタンＢ１１〜Ｂ１３の何れかのボタンをタッチした後、“設定登録”ボタンＢ１５をタッチする。または、ユーザはボタンＢ１１、Ｂ１２の何れかのボタンをタッチした後、“詳細設定”ボタンＢ１４をタッチする。
【０１１９】
報知基準設定器３２３は、ユーザが“デフォルト”ボタンＢ１３をタッチしたか否かを判定する（ステップＳ１５２）。“デフォルト”ボタンＢ１３がタッチされたと判定した場合（Ｓ１５２：Ｙｅｓ）、報知基準設定器３２３は、ユーザが“設定登録”ボタンＢ１５をタッチしたか否かを判定する（ステップＳ１５３）。“設定登録”ボタンＢ１５がタッチされていないと判定した場合（Ｓ１５３：Ｎｏ）、報知基準設定器３２３はステップＳ１５３の処理に戻る。一方、“設定登録”ボタンＢ１５がタッチされたと判定した場合（Ｓ１５３：Ｙｅｓ）、報知基準設定器３２３は、デフォルトの設定内容に基づく報知タイミングを示す報知基準情報を記憶器３０１に記憶する（ステップＳ１５４）。そして、ステップＳ１６４の処理が行われる。
【０１２０】
報知基準設定器３２３は、“デフォルト”ボタンＢ１３がタッチされていないと判定した場合（Ｓ１５２：Ｎｏ）、ユーザが“電池残量減少”ボタンＢ１１をタッチしたか否かを判定する（ステップＳ１５５）。“電池残量減少”ボタンＢ１１がタッチされたと判定した場合（Ｓ１５５：Ｙｅｓ）、報知基準設定器３２３はステップＳ１５７の処理に進む。
【０１２１】
一方、“電池残量減少”ボタンＢ１１がタッチされていないと判定した場合（Ｓ１５５：Ｎｏ）、報知基準設定器３２３は、ユーザが“定期的”ボタンＢ１２をタッチしたか否かを判定する（ステップＳ１５６）。“定期的”ボタンＢ１２がタッチされたと判定した場合（Ｓ１５６：Ｙｅｓ）、報知基準設定器３２３はステップＳ１５７の処理に進む。一方、“定期的”ボタンＢ１２がタッチされていないと判定した場合（Ｓ１５６：Ｎｏ）、報知基準設定器３２３はステップＳ１５２の処理に戻る。
【０１２２】
ステップＳ１５７において、報知基準設定器３２３は、ユーザが“詳細設定”ボタンＢ１４をタッチしたか否かを判定する（ステップＳ１５７）。“詳細設定”ボタンＢ１４がタッチされていないと判定した場合（Ｓ１５７：Ｎｏ）、報知基準設定器３２３は、ユーザが“設定登録”ボタンＢ１５をタッチしたか否かを判定する（ステップＳ１５８）。“設定登録”ボタンＢ１５がタッチされていないと判定した場合（Ｓ１５８：Ｎｏ）、報知基準設定器３２３はステップＳ１５７の処理に戻る。
【０１２３】
一方、“設定登録”ボタンＢ１５がタッチされたと判定した場合（Ｓ１５８：Ｙｅｓ）、報知基準設定器３２３は、タッチされたボタンＢ１１の報知基準［電池残量減少］と設定された電池残量に基づく報知タイミング、又は、タッチされたボタンＢ１２の報知基準［定期的］と設定された日数の間隔とに基づく報知タイミングを示す報知基準情報を記憶器３０１に記憶する（ステップＳ１５９）。そして、ステップＳ１６４の処理が行われる。
【０１２４】
ステップＳ１５７において、“詳細設定”ボタンＢ１４がタッチされたと判定した場合（Ｓ１５７：Ｙｅｓ）、報知基準設定器３２３は、タッチされたボタンＢ１１、Ｂ１２の報知基準に対応する報知基準詳細設定ページを表示器３０３に表示する。そして、報知基準設定器３２３は、操作器３０２からの入力信号に基づいて、報知基準詳細設定ページ上でのユーザ操作を受け付ける（ステップＳ１６０）。
【０１２５】
例えば、ユーザが［電池残量減少］に対応するボタンＢ１１をタッチした後に、“詳細設定”ボタンＢ１４をタッチした場合には、図１３（ｃ）に一例を示す［電池残量減少］用の報知基準詳細設定ページが表示器３０３に表示される。なお、報知基準詳細設定ページにおいて、ユーザは電池残量設定ウインドウＢ２１を使用して電池残量を指定した後、“設定登録”ボタンＢ２３をタッチする。または、ユーザは“戻る”ボタンＢ２２をタッチする。
【０１２６】
また、ユーザが［定期的］に対応するボタンＢ１２をタッチした後に、“詳細設定”ボタンＢ１４をタッチした場合には、図１４（ｃ）に一例を示す［定期的］用の報知基準詳細設定ページが表示器３０３に表示される。なお、報知基準詳細設定ページにおいて、ユーザは日数指定ウインドウＢ５１を使用して日数を指定した後、“設定登録”ボタンＢ５３をタッチする。または、ユーザは“戻る”ボタンＢ５２をタッチする。
【０１２７】
報知基準設定器３２３は、ユーザが“戻る”ボタンＢ２２、Ｂ５２をタッチしたか否かを判定する（ステップＳ１６１）。“戻る”ボタンＢ２２、Ｂ５２がタッチされたと判定した場合（Ｓ１６１：Ｙｅｓ）、報知基準設定器３２３はステップＳ１５１の処理に戻る。一方、“戻る”ボタンＢ２２、Ｂ５２がタッチされていないと判定した場合（Ｓ１６１：Ｎｏ）、報知基準設定器３２３は、ユーザが“設定登録”ボタンＢ２３、Ｂ５３をタッチしたか否かを判定する（ステップＳ１６２）。“設定登録”ボタンＢ２３、Ｂ５３がタッチされていないと判定した場合（Ｓ１６２：Ｎｏ）、報知基準設定器３２３はステップＳ１６１の処理に戻る。
【０１２８】
一方、“設定登録”ボタンＢ２３、Ｂ５３がタッチされたと判定した場合（Ｓ１６２：Ｙｅｓ）、報知基準設定器３２３は、タッチされたボタンＢ１１の報知基準［電池残量減少］と電池残量設定ウインドウＢ２１で指定された電池残量とに基づく報知タイミング、
又は、タッチされたボタンＢ１２の報知基準［定期的］と日数設定ウインドウＢ５１で指定された日数とに基づく報知タイミングを示す報知基準情報を記憶器３０１に記憶する（ステップＳ１６３）。そして、ステップＳ１６４の処理が行われる。
【０１２９】
ステップＳ１６４において、報知処理器３２４はバックグランドにて報知判定処理を実行する（ステップＳ１６４）。
報知基準設定器３２３は設定登録完了ページ（図１３（ｄ）、図１４（ｄ）参照）を表示器３０３に表示する。そして、報知基準設定器３２３は、操作器３０２からの入力信号に基づいて、設定登録完了ページ上でのユーザ操作を受け付ける（ステップＳ１６５）。なお、設定登録完了ページにおいて、ユーザは表示領域Ｂ３１、Ｂ６１で設定登録内容を確認した後、“閉じる”ボタンＢ３２、Ｂ６２をタッチする。
【０１３０】
報知基準設定器３２３は、ユーザが“閉じる”ボタンＢ３２、Ｂ６２をタッチしたか否かを判定する（ステップＳ１６６）。“閉じる”ボタンＢ３２、Ｂ６２がタッチされていないと判定した場合（Ｓ１６６：Ｎｏ）、報知基準設定器３２３はステップＳ１６６の処理に戻る。一方、“閉じる”ボタンＢ３２、Ｂ６２がタッチされたと判定した場合（Ｓ１６６：Ｙｅｓ）、蓄電池予約処理器３１１は図１１のメインフローに戻る。
【０１３１】
［情報端末の報知判定処理］
図２３は図２２の報知判定処理フローを示すフローチャートである。
報知処理器３２４は、報知基準が［電池残量減少］か［定期的］であるかを判定する（ステップＳ１８１）。
ステップＳ１８１において、報知基準が［電池残量減少］であると判定した場合（Ｓ１８１：電池残量減少）、報知処理器３２４は、蓄電池パックの電池残量を示す電池残量情報を取得する（ステップＳ１８２）。
【０１３２】
なお、ステップＳ１８２の処理は例えば次のようにして行われる。
報知処理器３２４は、通信器３０６を制御してアンテナ３０６ａを介して周辺にある蓄電池パックを探索するための探索信号をブロードキャスト又はマルチキャストにて送信する。この探索信号を受信した蓄電池パックは、自身の蓄電池ＩＤ及び検出器５０５で検出した電池残量を示す電池残量情報を含む応答信号を送信する。そして、報知処理器３２４はこの応答信号を受信する。
【０１３３】
以上が、ステップＳ１８２の処理の一例である。
報知処理器３２４は、取得した電池残量情報が示す蓄電池パックの電池残量が、記憶器３０１に記憶されている報知基準情報が示す報知基準の電池残量以下になったか否かを判定する（ステップＳ１８３）。取得した電池残量が報知基準の電池残量以下になっていないと判定した場合（Ｓ１８３：Ｎｏ）、報知処理器３２４はステップＳ１８２の処理に戻る。一方、取得した電池残量が報知基準の電池残量以下になったと判定した場合（Ｓ１８３：Ｙｅｓ）、報知処理器３２４は報知処理を実行する（ステップＳ１８５）。
【０１３４】
ステップＳ１８１において、報知基準が［定期的］であると判定した場合（Ｓ１８１：定期的）、報知処理器３２４は報知基準の日になったかを判定する（ステップＳ１８４）。報知基準日になっていないと判定した場合（Ｓ１８４：Ｎｏ）、報知処理器３２４はステップＳ１８４の処理に戻る。一方、報知基準日になったと判定した場合（Ｓ１８４：Ｙｅｓ）、報知処理器３２４は報知処理を実行する（ステップＳ１８５）。
【０１３５】
なお、報知基準の日は、報知判定処理の開始年月日から記憶器３０１に記憶されている報知基準情報が示す報知間隔の日数を加算した年月日、または、前回の報知基準の日から報知間隔の日数を加算した年月日である。
［情報端末の報知処理］
図２４は図２３の報知処理フローを示すフローチャートである。
【０１３６】
報知処理器３２４は、報知ページの表示情報を取得する（ステップＳ３Ａ）。この表示情報には、電池残量を示す電池残量情報、及び蓄電池パックのクラスを示すクラス情報、並びに、蓄電池パックの返却までの日数を示すレンタル期間情報が含まれている。
なお、ステップＳ３Ａの処理は、例えば、ステップＳ３の処理と同様の処理により行うことが可能である。
【０１３７】
報知処理器３２４は、サーバ装置１１から受信した報知ページの表示情報に基づいて、報知基準が［電池残量減少］の場合には図１９（ａ）に一例を示す報知ページを表示器３０３に表示し、報知基準が［定期的］の場合には図１９（ｂ）に一例を示す報知ページを表示器３０３に表示する。そして、報知処理器３２４は、操作器３０２からの入力信号に基づいて、報知ページ上でのユーザ操作を受け付ける（ステップＳ４Ａ）。
【０１３８】
なお、それ以降は図２０を用いて説明した処理と実質的に同じ処理が行われる。
［情報端末の蓄電池予約処理］
図２５及び図２６は図２０の蓄電池予約処理フローを示すフローチャートである。
蓄電池交換予約器３２２は、蓄電池パックの蓄電池ＩＤを取得する（ステップＳ２０１）。
【０１３９】
なお、ステップＳ２０１の処理は例えば次のようにして行われる。
蓄電池交換予約器３２２は、通信器３０６を制御してアンテナ３０６ａを介して周辺にある蓄電池パックを探索するための探索信号をブロードキャスト又はマルチキャストにて送信する。この探索信号を受信した蓄電池パックは、自身の蓄電池ＩＤを含む応答信号を送信する。そして、蓄電池交換予約器３２２はこの応答信号を受信する。
【０１４０】
以上が、ステップＳ２０１の処理の一例である。
蓄電池交換予約器３２２は、設定されたエリアが［この付近］であるか否かを判定する（ステップＳ２０２）。
設定されたエリアが［この付近］であると判定した場合（Ｓ２０２：Ｙｅｓ）、ＧＰＳ器３０７はアンテナ３０７ａで受信した電波に基づいて、現在地点を示す位置情報を取得する（ステップＳ２０３）。そして、蓄電池交換予約器３２２は、サーバ装置１１にセンタ検索要求を行う（ステップＳ２０３）。
【０１４１】
このセンタ検索要求には、蓄電池パックの蓄電池ＩＤ、ＧＰＳ器３０７で取得された現在地点を示す位置情報、及び記憶器３０１に記憶されているエリア情報が含まれる。このエリア情報では、現在地点から設定距離（Ｘキロメートル）内のエリアをサービスセンタの検索エリアとすることが示されている。なお、Ｘは、エリア設定処理で設定された距離（デフォルトの距離又はユーザが距離設定ウインドウＡ２１を利用して指定した距離）である。
【０１４２】
センタ検索要求を受けたサーバ装置１１は、次のような処理を行う。
サーバ装置１１は、蓄電池管理データベース１１４を参照して、蓄電池ＩＤを基に当該蓄電池ＩＤの蓄電池パックのクラスを特定する。
そして、サーバ装置１１は、センタ管理データベース１１１を参照して、サービスセンタの検索エリア内のサービスセンタを現在地点から近い順に探す。そして、サーバ装置１１は、特定した蓄電池ＩＤの蓄電池パックのクラスを基に、蓄電池管理データベース１１４を参照して、見つけたサービスセンタが蓄電池ＩＤの蓄電池パックの劣化レベルと同等の劣化レベルの蓄電池パックであって、貸与可能な蓄電池パックを保管しているか否かを判断する。保管していると判断した場合、サーバ装置１１は、蓄電池管理データベース１１４を参照して、蓄電池パックの劣化レベルと同等以下の劣化レベルの蓄電池パックであって、貸与可能な蓄電池パックの台数をクラス毎に特定する。これを、保管しているサービスセンタを３つ見つけるまで、又は、サービスセンタの検索エリア内の全てのサービスセンタに対して行うまで、繰り返し行う。
【０１４３】
そして、サーバ装置１１は、センタ予約ページ（図１５（ｂ）参照）の表示情報及びセンタ地図予約ページ（図１５（ｃ）参照）の表示情報を含むセンタ検索応答を情報端末３に送信する。
このセンタ予約ページの表示情報には、検索の結果見つかった最大３か所のサービスセンタの名称及び所在地、及びサービスセンタが保管している蓄電池パックの台数が含まれている。なお、ここで言う台数は蓄電池ＩＤの蓄電池パックの劣化レベルと同等の劣化レベルの蓄電池パックであって、貸与可能な蓄電池パックの台数である。また、センタ予約ページの表示情報には、現在地点から近い順にサービスセンタが表示され、現在地点に最も近いサービスセンタがお勧めとして表示されるような情報が含まれている。
【０１４４】
このセンタ地図予約ページの表示情報には、検索の結果見つかった最大３か所のサービスセンタの地図上の位置、及び、サービスセンタが保管している蓄電池パックの台数がクラス毎に分類して含まれている。なお、ここで言う台数は蓄電池ＩＤの蓄電池パックの劣化レベルと同等以下の劣化レベルの蓄電池パックであって、貸与可能な蓄電池パックの劣化レベル毎の台数である。また、センタ地図予約ページの表示情報には、現在地点に最も近いサービスセンタがお勧めとして表示されるような情報が含まれている。
【０１４５】
蓄電池交換予約器３２２は、サーバ装置１１から送信されたセンタ検索応答を受信し（ステップＳ２１７）、ステップＳ２１８の処理に進む。
ステップＳ２０２において、設定されたエリアが［この付近］でないと判定した場合（Ｓ２０２：Ｎｏ）、蓄電池交換予約器３２２は、設定されたエリアが［よく通る道の付近］であるか否かを判定する（ステップＳ２０５）。
【０１４６】
設定されたエリアが［よく通る道の付近］であると判定した場合には（Ｓ２０５：Ｙｅｓ）、蓄電池交換予約器３２２は、ルート指定ページ（図１６（ａ）参照）を表示器３０３に表示する。そして、蓄電池交換予約器３２２は、操作器３０２からの入力信号に基づいて、ルート指定ページ上でのユーザ操作を受け付ける（ステップＳ２０６）。なお、ルート指定ページにおいて、ユーザはルート指定領域Ｃ５１を利用してよく通る道を指定した後、“次へ”ボタンＣ５２をタッチする。
【０１４７】
蓄電池交換予約器３２２は、ユーザが“次へ”ボタンＣ５２をタッチしたか否かを判定する（ステップＳ２０７）。“次へ”ボタンＣ５２がタッチされていないと判定した場合（Ｓ２０７：Ｎｏ）、蓄電池交換予約器３２２はステップＳ２０７の処理に戻る。一方、“次へ”ボタンＣ５２がタッチされたと判定した場合（Ｓ２０７：Ｙｅｓ）、蓄電池交換予約器３２２は、サーバ装置１１にセンタ検索要求を行う（ステップＳ２０８）。
【０１４８】
このセンタ検索要求には、蓄電池パックの蓄電池ＩＤ、指定されたよく通る道のルート情報、及び記憶器３０１に記憶されているエリア情報が含まれる。このエリア情報では、よく通る道のルートから設定距離（Ｘキロメートル）内のエリアをサービスセンタの検索エリアとすることが示されている。なお、Ｘは、エリア設定処理で設定された距離（デフォルトの距離又はユーザが距離設定ウインドウを利用して指定した距離）である。
【０１４９】
センタ検索要求を受けたサーバ装置１１は、次のような処理を行う。
サーバ装置１１は、蓄電池管理データベース１１４を参照して、蓄電池ＩＤを基に当該 蓄電池ＩＤの蓄電池パックのクラスを特定する。
そして、サーバ装置１１は、センタ管理データベース１１１を参照して、サービスセンタの検索エリア内のサービスセンタをよく通る道のルートから近い順に探す。そして、サーバ装置１１は、特定した蓄電池ＩＤの蓄電池パックのクラスを基に、蓄電池管理データベース１１４を参照して、見つけたサービスセンタが蓄電池ＩＤの蓄電池パックの劣化レベルと同等の劣化レベルの蓄電池パックであって、貸与可能な蓄電池パックを保管しているか否かを判断する。保管していると判断した場合、サーバ装置１１は、蓄電池管理データベースを参照して、蓄電池パックの劣化レベルと同等以下の劣化レベルの蓄電池パックであって、貸与可能な蓄電池パックの台数をクラス毎に特定する。これを、保管しているサービスセンタを３つ見つけるまで、又は、サービスセンタの検索エリア内の全てのサービスセンタに対して行うまで、繰り返し行う。
【０１５０】
そして、サーバ装置１１は、センタ予約ページ（図１６（ｂ）参照）の表示情報及びセンタ地図予約ページ（図１６（ｃ）参照）の表示情報を含むセンタ検索応答を情報端末３に送信する。
このセンタ予約ページの表示情報には、検索の結果見つかった最大３か所のサービスセンタの名称及び所在地、及びサービスセンタが保管している蓄電池パックの台数が含まれている。なお、ここで言う台数は蓄電池ＩＤの蓄電池パックの劣化レベルと同等の劣化レベルの蓄電池パックであって、貸与可能な蓄電池パックの台数である。また、センタ予約ページの表示情報には、よく通る道のルートから近い順にサービスセンタが表示され、よく通る道のルートに最も近いサービスセンタがお勧めとして表示されるような情報が含まれている。
【０１５１】
このセンタ地図予約ページの表示情報には、検索の結果見つかった最大３か所のサービスセンタの地図上の位置、及び、サービスセンタが保管している蓄電池パックの台数がクラス毎に分類して含まれている。なお、ここで言う台数は蓄電池ＩＤの蓄電池パックの劣化レベルと同等以下の劣化レベルの蓄電池パックであって、貸与可能な蓄電池パックの劣化レベル毎の台数である。また、センタ地図予約ページの表示情報には、よく通る道のルートに最も近いサービスセンタがお勧めとして表示されるような情報が含まれている。
【０１５２】
蓄電池交換予約器３２２は、サーバ装置１１から送信されたセンタ検索応答を受信し（ステップＳ２１７）、ステップＳ２１８の処理に進む。
ステップＳ２０５において、設定されたエリアが［よく通る道の付近］でないと判定した場合（Ｓ２０５：Ｎｏ）、蓄電池交換予約器３２２は、設定されたエリアが［自宅の付近］であるか否かを判定する（ステップＳ２０９）。
【０１５３】
設定されたエリアが［自宅の付近］であると判定した場合（Ｓ２０９：Ｙｅｓ）、蓄電池交換予約器３２２は、自宅入力ページ（図１７（ａ）参照）を表示器３０３に表示する。そして、蓄電池交換予約器３２２は、操作器３０２からの入力信号に基づいて、自宅入力ページ上でのユーザ操作を受け付ける（ステップＳ２１０）。なお、自宅入力ページにおいて、ユーザは住所入力領域Ｃ６１に自宅住所を入力した後、“次へ”ボタンＣ６２をタッチする。
【０１５４】
蓄電池交換予約器３２２は、ユーザが“次へ”ボタンＣ６２をタッチしたか否かを判定する（ステップＳ２１１）。“次へ”ボタンＣ６２がタッチされていないと判定した場合（Ｓ２１１：Ｎｏ）、蓄電池交換予約器３２２はステップＳ２１１の処理に戻る。一方、“次へ”ボタンＣ６２がタッチされたと判定した場合（Ｓ２１１：Ｙｅｓ）、蓄電池交換予約器３２２は、サーバ装置１１にセンタ検索要求を行う（ステップＳ２１２）。
【０１５５】
このセンタ検索要求には、蓄電池パックの蓄電池ＩＤ、ユーザによって入力された自宅 住所を示す自宅住所情報、及び記憶器３０１に記憶されているエリア情報が含まれる。このエリア情報では、自宅から設定距離（Ｘキロメートル）内のエリアをサービスセンタの検索エリアとすることが示されている。なお、Ｘは、エリア設定処理で設定された距離（デフォルトの距離又はユーザが距離設定ウインドウを利用して指定した距離）である。
【０１５６】
センタ検索要求を受けたサーバ装置１１は、次のような処理を行う。
サーバ装置１１は、蓄電池管理データベース１１４を参照して、蓄電池ＩＤを基に当該蓄電池ＩＤの蓄電池パックのクラスを特定する。
そして、サーバ装置１１は、センタ管理データベース１１１を参照して、サービスセンタの検索エリア内のサービスセンタを自宅から近い順に探す。そして、サーバ装置１１は、特定した蓄電池ＩＤの蓄電池パックのクラスを基に、蓄電池管理データベース１１４を参照して、見つけたサービスセンタが蓄電池ＩＤの蓄電池パックの劣化レベルと同等の劣化レベルの蓄電池パックであって、貸与可能な蓄電池パックを保管しているか否かを判断する。保管していると判断した場合、サーバ装置１１は、蓄電池管理データベースを参照して、蓄電池パックの劣化レベルと同等以下の劣化レベルの蓄電池パックであって、貸与可能な蓄電池パックの台数をクラス毎に特定する。これを、保管しているサービスセンタを３つ見つけるまで、又は、サービスセンタの検索エリア内の全てのサービスセンタに対して行うまで、繰り返し行う。
【０１５７】
そして、サーバ装置１１は、センタ予約ページ（図１５（ｂ）参照）の表示情報及びセンタ地図予約ページ（図１５（ｃ）参照）の表示情報を含むセンタ検索応答を情報端末３に送信する。
このセンタ予約ページの表示情報には、検索の結果見つかった最大３か所のサービスセンタの名称及び所在地、及びサービスセンタが保管している蓄電池パックの台数が含まれている。なお、ここで言う台数は蓄電池ＩＤの蓄電池パックの劣化レベルと同等の劣化レベルの蓄電池パックであって、貸与可能な蓄電池パックの台数である。また、センタ予約ページの表示情報には、自宅から近い順にサービスセンタが表示され、自宅に最も近いサービスセンタがお勧めとして表示されるような情報が含まれている。
【０１５８】
このセンタ地図予約ページの表示情報には、検索の結果見つかった最大３か所のサービスセンタの地図上の位置、及び、サービスセンタが保管している蓄電池パックの台数がクラス毎に分類して含まれている。なお、ここで言う台数は蓄電池ＩＤの蓄電池パックの劣化レベルと同等以下の劣化レベルの蓄電池パックであって、貸与可能な蓄電池パックの劣化レベル毎の台数である。また、センタ地図予約ページの表示情報には、自宅に最も近いサービスセンタがお勧めとして表示されるような情報が含まれている。
【０１５９】
蓄電池交換予約器３２２は、サーバ装置１１から送信されたセンタ検索応答を受信し（ステップＳ２１７）、ステップＳ２１８の処理に進む。
ステップＳ２０９において、設定されたエリアが［自宅の付近］でないと判定した場合、つまり、設定されたエリアが［目的地までのルート付近］である場合（Ｓ２０９：Ｎｏ）、蓄電池交換予約器３２２は、目的地入力ページ（図１８（ａ）参照）を表示器３０３に表示する。そして、蓄電池交換予約器３２２は、操作器３０２からの入力信号に基づいて、目的地入力ページ上でのユーザ操作を受け付ける（ステップＳ２１３）。なお、目的地入力ページにおいて、ユーザは目的地入力領域Ｃ７１に目的地を入力した後、“次へ”ボタンＣ７２をタッチする。
【０１６０】
蓄電池交換予約器３２２は、ユーザが“次へ”ボタンＣ７２をタッチしたか否かを判定する（ステップＳ２１４）。“次へ”ボタンＣ７２がタッチされていないと判定した場合（Ｓ２１４：Ｎｏ）、蓄電池交換予約器３２２はステップＳ２１４の処理に戻る。
一方、“次へ”ボタンＣ７２がタッチされたと判定した場合（Ｓ２１４：Ｙｅｓ）、ＧＰＳ器３０７はアンテナ３０７ａで受信した電波に基づいて、現在地点を示す位置情報を取得する（ステップＳ２１５）。そして、蓄電池交換予約器３２２は、サーバ装置１１にセンタ検索要求を行う（ステップＳ２１６）。
【０１６１】
このセンタ検索要求には、蓄電池パックの蓄電池ＩＤ、ＧＰＳ器３０７で取得された現在地点を示す位置情報、ユーザによって入力された目的地を示す目的地情報及び記憶器３０１に記憶されているエリア情報が含まれる。このエリア情報では、現在地点から目的地までのルートから設定距離（Ｘキロメートル）内のエリアをサービスセンタの検索エリアとすることが示されている。なお、Ｘは、エリア設定処理で設定された距離（デフォルトの距離又はユーザが距離設定ウインドウを利用して指定した距離）である。
【０１６２】
センタ検索要求を受けたサーバ装置１１は、次のような処理を行う。
サーバ装置１１は、蓄電池管理データベース１１４を参照して、蓄電池ＩＤを基に当該蓄電池ＩＤの蓄電池パックのクラスを特定する。
そして、サーバ装置１１は、センタ管理データベース１１１を参照して、サービスセンタの検索エリア内のサービスセンタを現在地点から目的地までのルートから近い順に探す。そして、サーバ装置１１は、特定した蓄電池ＩＤの蓄電池パックのクラスを基に、蓄電池管理データベース１１４を参照して、見つけたサービスセンタが蓄電池ＩＤの蓄電池パックの劣化レベルと同等の劣化レベルの蓄電池パックであって、貸与可能な蓄電池パックを保管しているか否かを判断する。保管していると判断した場合、サーバ装置１１は、蓄電池管理データベースを参照して、蓄電池パックの劣化レベルと同等以下の劣化レベルの蓄電池パックであって、貸与可能な蓄電池パックの台数をクラス毎に特定する。これを、保管しているサービスセンタを３つ見つけるまで、又は、サービスセンタの検索エリア内の全てのサービスセンタに対して行うまで、繰り返し行う。
【０１６３】
そして、サーバ装置１１は、センタ予約ページ（図１８（ｂ）参照）の表示情報及びセンタ地図予約ページ（図１８（ｃ）参照）の表示情報を含むセンタ検索応答を情報端末３に送信する。
このセンタ予約ページの表示情報には、検索の結果見つかった最大３か所のサービスセンタの名称及び所在地、及びサービスセンタが保管している蓄電池パックの台数が含まれている。なお、ここで言う台数は蓄電池ＩＤの蓄電池パックの劣化レベルと同等の劣化レベルの蓄電池パックであって、貸与可能な蓄電池パックの台数である。また、センタ予約ページの表示情報には、現在地点から目的地までのルートから近い順にサービスセンタが表示され、現在地点から目的地までのルートに最も近いサービスセンタがお勧めとして表示されるような情報が含まれている。
【０１６４】
このセンタ地図予約ページの表示情報には、検索の結果見つかった最大３か所のサービスセンタの地図上の位置、及び、サービスセンタが保管している蓄電池パックの台数がクラス毎に分類して含まれている。なお、ここで言う台数は蓄電池ＩＤの蓄電池パックの劣化レベルと同等以下の劣化レベルの蓄電池パックであって、貸与可能な蓄電池パックの劣化レベル毎の台数である。また、センタ地図予約ページの表示情報には、現在地点から目的地までのルートに最も近いサービスセンタがお勧めとして表示されるような情報が含まれている。
【０１６５】
蓄電池交換予約器３２２は、サーバ装置１１から送信されたセンタ検索応答を受信し（ステップＳ２１７）、ステップＳ２１８の処理に進む。
ステップＳ２１８において、蓄電池交換予約器３２２は、センタ予約ページを表示器３０３に表示する。そして、蓄電池交換予約器３２２は、操作器３０２からの入力信号に基づいて、センタ予約ページ上でのユーザ操作を受け付ける（ステップＳ２１８）。なお、
センタ予約ページにおいて、ユーザは“予約”ボタンＣ１１〜Ｃ１３、“地図参照”ボタンＣ１４、または、“閉じる”ボタンＣ１５の何れかのボタンをタッチする。
【０１６６】
蓄電池交換予約器３２２は、ユーザが“閉じる”ボタンＣ１５をタッチしたか否かを判定する（ステップＳ２１９）。“閉じる”ボタンＣ１５がタッチされたと判定した場合（Ｓ２１９：Ｙｅｓ）、蓄電池交換予約器３２２は図２０又は図２４のフローに戻る。
一方、“閉じる”ボタンＣ１５がタッチされていないと判定した場合（Ｓ２１９：Ｎｏ）、蓄電池交換予約器３２２は、ユーザが“地図参照”ボタンＣ１４をタッチしたか否かを判定する（ステップＳ２２０）。
【０１６７】
“地図参照”ボタンＣ１４がタッチされていないと判定した場合（Ｓ２２０：Ｎｏ）、蓄電池交換予約器３２２は、ユーザが（１）のサービスセンタ用の“予約”ボタンＣ１１をタッチしたか否かを判定する（ステップＳ２２１）。“予約”ボタンＣ１１がタッチされたと判定した場合（Ｓ２２１：Ｙｅｓ）、蓄電池交換予約器３２２はステップＳ２２９の処理に進む。
【０１６８】
一方、“予約”ボタンＣ１１がタッチされていないと判定した場合（Ｓ２２１：Ｎｏ）、蓄電池交換予約器３２２は、ユーザが（２）のセンタ用の“予約”ボタンＣ１２をタッチしたか否かを判定する（ステップＳ２２２）。“予約”ボタンＣ１２がタッチされたと判定した場合（Ｓ２２２：Ｙｅｓ）、蓄電池交換予約器３２２はステップＳ２２９の処理に進む。
【０１６９】
一方、“予約”ボタンＣ１２がタッチされていないと判定した場合（Ｓ２２２：Ｎｏ）、蓄電池交換予約器３２２は、ユーザが（３）のセンタ用の“予約”ボタンＣ１３をタッチしたか否かを判定する（ステップＳ２２３）。“予約”ボタンＣ１３がタッチされたと判定した場合（Ｓ２２３：Ｙｅｓ）、蓄電池交換予約器３２２はステップＳ２２９の処理に進む。一方、“予約”ボタンＣ１３がタッチされていないと判定した場合（Ｓ２２３：Ｎｏ）、蓄電池交換予約器３２２はステップＳ２１９の処理に戻る。
【０１７０】
ステップＳ２２０において、“地図参照”ボタンＣ１４がタッチされたと判定した場合（Ｓ２２０：Ｙｅｓ）、蓄電池交換予約器３２２は、センタ地図予約ページを表示器３０３に表示する。そして、蓄電池交換予約器３２２は、操作器３０２からの入力信号に基づいて、センタ地図予約ページ上でのユーザ操作を受け付ける（ステップＳ２２４）。なお、センタ地図予約ページにおいて、ユーザは領域Ｃ２１上で（１）〜（３）のサービスセンタの何れかをタッチするか、“センタ予約ページに戻る”ボタンＣ２２をタッチする。
【０１７１】
蓄電池交換予約器３２２は、“センタ予約ページに戻る”ボタンＣ２２がタッチされているか否かを判定する（ステップＳ２２５）。“センタ予約ページに戻る”ボタンＣ２２がタッチされたと判定した場合（Ｓ２２５：Ｙｅｓ）、蓄電池交換予約器３２２はステップＳ２１８の処理に戻る。
一方、“センタ予約ページに戻る”ボタンＣ２２がタッチされていないと判定した場合（Ｓ２２５：Ｎｏ）、蓄電池交換予約器３２２は、ユーザが領域Ｃ２１上で（１）のサービスセンタをタッチしたか否かを判定する（ステップＳ２２６）。領域Ｃ２１上で（１）のサービスセンタがタッチされたと判定した場合（Ｓ２２６：Ｙｅｓ）、蓄電池交換予約器３２２はステップＳ２２９の処理に進む。
【０１７２】
一方、領域Ｃ２１上で（１）のサービスセンタがタッチされていないと判定した場合（Ｓ２２６：Ｎｏ）、蓄電池交換予約器３２２は、ユーザが領域Ｃ２１上で（２）のサービスセンタをタッチしたか否かを判定する（ステップＳ２２７）。領域Ｃ２１上で（２）のサービスセンタがタッチされたと判定した場合（Ｓ２２７：Ｙｅｓ）、蓄電池交換予約器３２２はステップＳ２２９の処理に進む。
【０１７３】
一方、領域Ｃ２１上で（２）のサービスセンタがタッチされていないと判定した場合（Ｓ２２７：Ｎｏ）、蓄電池交換予約器３２２は、ユーザが領域Ｃ２１上で（３）のサービスセンタをタッチしたか否かを判定する（ステップＳ２２８）。領域Ｃ２１上で（３）のサービスセンタがタッチされたと判定した場合（Ｓ２２８：Ｙｅｓ）、蓄電池交換予約器３２２はステップＳ２２９の処理に進む。一方、領域Ｃ２１上で（３）のサービスセンタがタッチされていないと判定した場合（Ｓ２２８：Ｎｏ）、蓄電池交換予約器３２２はステップＳ２２５の処理に戻る。
【０１７４】
蓄電池交換予約器３２２は、サーバ装置１１に対して、ユーザによって選択されたサービスセンタ及びユーザが保持している蓄電池パックのクラスを示すクラス情報を含む、蓄電池パックの交換の予約用の予約要求を送信する（ステップＳ２２９）。
この予約要求がサーバ装置１１を介してユーザによって選択されたサービスセンタのＰＣ２１に到達する。そして、ＰＣ２１はユーザが保持している蓄電池パックのクラスを示すクラス情報を基に蓄電池パックの交換の予約を受け付け、予約が完了した旨を通知するための予約応答をサーバ装置１１を介して情報端末３に送信する。
【０１７５】
蓄電池交換予約器３２２は、サーバ装置１１から予約応答を受信する（ステップＳ２３０）。そして、蓄電池交換予約器３２２は、予約完了ページ（図１５〜図１８の（ｄ）参照）を表示する。そして、蓄電池交換予約器３２２は、操作器３０２からの入力信号に基づいて、予約完了ページ上でのユーザ操作を受け付ける（ステップＳ２３１）。なお、予約完了ページにおいて、ユーザは領域Ｃ３１で予約が完了したことを確認した後、“閉じる”ボタンＣ３２をタッチする。
【０１７６】
蓄電池交換予約器３２２は、ユーザが“閉じる”ボタンＣ３２をタッチしたか否かを判定する（ステップＳ２３２）。“閉じる”ボタンＣ３２がタッチされていないと判定した場合（Ｓ２３２：Ｎｏ）、蓄電池交換予約器３２２はステップＳ２３２の処理に戻る。一方、“閉じる”ボタンＣ３２がタッチされたと判定した場合（Ｓ２３２：Ｙｅｓ）、蓄電池交換予約器３２２は図２０又は図２４のフローに戻る。
【０１７７】
＜蓄電池パックのレンタル予約システムの一動作シーケンス例＞
図２７は図２の蓄電池パックのレンタル予約システムの動作シーケンスの一例を示すシーケンス図である。
ユーザがサービスセンタで蓄電池パックを返却し、新たに蓄電池パックを借りた場合、サービスセンタの蓄電池貸与装置２内のＰＣ２１はサーバ装置１１にレンタル情報を送信する。そして、このレンタル情報をサーバ装置１１は受信する（ステップＳ１００１）。このレンタル情報には、サービスセンタのセンタＩＤ、会員ナンバー、新たに蓄電池パックを貸し出した年月日、返却遅れの有無、返却された蓄電池パックの電池ＩＤ及びその電池残量、貸し出した蓄電池パックの電池ＩＤ及びその電池残量、並びに、レンタル期間が含まれている。
【０１７８】
サーバ装置１１はレンタル情報を基にレンタル管理データベース１１３及び蓄電池管理データベース１１４を更新する（ステップＳ１００３）。
なお、レンタル管理データベース１１３の更新では、持ち込み電池情報及び貸出電池情報のクラス以外の情報はレンタル情報に基づき更新される。また、持ち込み電池情報及び貸出電池情報のクラスの情報は、返却された蓄電池パック及び貸し出した蓄電池パックの夫々の蓄電池ＩＤを基に蓄電池管理データベース１１４を参照してクラスを特定して更新される。
【０１７９】
また、蓄電池管理データベース１１４の更新では、返却された蓄電池パックの蓄電池ＩＤに対応する保管サービスセンタ及び電池残量を、レンタル情報に含まれるセンタＩＤ及び返却された蓄電池パックの電池残量に置き換える。また、貸し出した蓄電池パックの蓄電池ＩＤに対応する保管サービスセンタ及び電池残量を、貸し出し中及び「−」（ブランク）に置き換える。
【０１８０】
サービスセンタの蓄電池貸与装置２内の蓄電池収納器２４は定期的に（例えば、夜１２時に）保管している蓄電池パックの蓄電池情報をサーバ装置１１に送信する。そして、この蓄電池情報をサーバ装置１１は受信する（ステップＳ１００４）。
この蓄電池情報には、センタＩＤが含まれていると共に、保管している蓄電池パック毎に、蓄電池ＩＤ、検出器２４５で検出された電池残量及び学習容量、並びに、蓄電池パックに記憶されている充電年月日が含まれている。
【０１８１】
サーバ装置１１は受信した蓄電池情報を基に蓄電池管理データベース１１４を更新する（ステップＳ１００４）。
情報端末３はサーバ装置１１に蓄電池予約アプリのトップページの表示情報を要求し、サーバ装置１１はこの要求を受信する（ステップＳ１００５）。サーバ装置１１は、この要求に対する応答として蓄電池予約アプリのトップページの表示情報を情報端末３に送信する。そして、この蓄電池予約アプリのトップページの表示情報を情報端末３は受信する（ステップＳ１００６）。
【０１８２】
情報端末３は、受信した表示情報を基に蓄電池予約アプリのトップページ（図１１参照）を表示する。ユーザが蓄電池予約アプリのトップページにおいて、“満充電交換  予約”ボタンＡ２をタッチすると、情報端末３はセンタ検索要求をサーバ装置１１に送信する。そして、このセンタ検索要求をサーバ装置１１は受信する（ステップＳ１００７）。
サーバ装置１１は、センタ検索要求に基づいてサービスセンタの検索を行う（ステップＳ１００８）。そして、サーバ装置１１は検索結果を含むセンタ検索応答を情報端末３に送信する。このセンタ検索応答を情報端末３は受信する（ステップＳ１００９）。
【０１８３】
情報端末３は、このセンタ検索応答を基に、センタ予約ページ（図１５〜図１８の（ｂ）参照）又はセンタ地図予約ページ（図１５〜図１８の（ｃ）参照）を表示する。ユーザがセンタ予約ページ又はセンタ地図予約ページにおいて、蓄電池パックの交換を行うサービスセンタを指定すると、情報端末３は、サーバ装置１１に対して予約要求を送信し、サーバ装置１１はこの予約要求を蓄電池貸与装置２に送信する（ステップＳ１０１０）。そして、サーバ装置１１は、サービスセンタの蓄電池貸与装置２内のＰＣ２１に対して予約要求を送信する。そして、この予約要求を蓄電池貸与装置２内のＰＣ２１が受信する（ステップＳ１０１１）。
【０１８４】
蓄電池貸与装置２のＰＣ２１は、この予約要求に基づき、蓄電池パックの予約を受け付け、予約が完了した旨を含む予約応答をサーバ装置１１へ送信し、サーバ装置１１はこの予約応答を受信する（ステップＳ１０１２）。そして、サーバ装置１１は、情報端末３に対して予約応答を送信し、情報端末３はこの予約応答を受信する（ステップＳ１０１３）。この予約応答を受信した情報端末３において予約完了ページが表示されることになる。
【０１８５】
≪補足（その１）≫
本開示は上記の実施の形態で説明した内容に限定されず、本開示の目的とそれに関連又は付随する目的を達成するためのいかなる形態においても実施可能であり、例えば、以下であってもよい。
（１）  サーバ装置１１がサービスセンタ（蓄電池貸与装置２）の検索エリアで検索し、その結果見つかったサービスセンタ（蓄電池貸与装置２）に関する情報に対応づけて情報端末３の表示器３０３に表示する蓄電池パックの台数は、例えば、実施の形態で説明したものも含め、次のようなものを挙げることができる。
【０１８６】
サービスセンタが保管する蓄電池パックの劣化レベルを考慮せずに、サービスセンタ（蓄電池貸与装置２）が保管している貸与可能な蓄電池パックの数であってもよい。
また、サービスセンタが保管する蓄電池パックの劣化レベルを考慮せずに、サービスセンタ（蓄電池貸与装置２）が保管している貸与可能な蓄電池パックを劣化レベル毎に分類した数であってもよい。
また、サービスセンタ（蓄電池貸与装置２）が保管している蓄電池パックであって、ユーザが所持している蓄電池パックの劣化レベルと同等の劣化レベルの蓄電池パックであり、且つ、貸与可能な蓄電池パックの数であってもよい。
【０１８７】
また、サービスセンタ（蓄電池貸与装置２）が保管している蓄電池パックであって、ユーザが所持している蓄電池パックの劣化レベルと同等以下の劣化レベルの蓄電池パックであり、且つ、貸与可能な蓄電池パックの数であってもよい。
また、サービスセンタ（蓄電池貸与装置２）が保管している蓄電池パックであって、ユーザが所持している蓄電池パックの劣化レベルと同等以下の劣化レベルの蓄電池パックであり、且つ、貸与可能な蓄電池パックを劣化レベル毎に分類した数であってもよい。
なお、上記実施の形態及び（１）に記載の上記内容において、本開示の蓄電池貸与装置２に存在する蓄電池パックに関する情報として、貸与可能な蓄電池パックの数、貸与可能な蓄電池パックを劣化レベル毎に分類した数が例示されているが、これに限定されるものではない。例えば、本開示の蓄電池貸与装置２に存在する蓄電池パックに関する情報として、蓄電池パックの電池残量に関する情報を用いてもよい。
【０１８８】
また、ユーザが所持している蓄電池パックの劣化レベルと同等以下の蓄電池パックであり、且つ、貸与可能な蓄電池パックを保管するサービスセンタ（蓄電池貸与装置２）に関する情報をユーザに提示する場合、実施の形態のように、ユーザが所持している蓄電池パックの劣化レベルと同等の蓄電池パックであり、且つ、貸与可能な蓄電池パックを少なくとも保管しているサービスセンタ（蓄電池貸与装置２）に関する情報をユーザに提示するようにしているが、これに限定されるものではない。例えば、ユーザが所持している蓄電池パックの劣化レベルと同等以下の蓄電池パックであり、且つ、貸与可能な蓄電池パックを保管するサービスセンタ（蓄電池貸与装置２）に関する情報をユーザに提示する場合、ユーザが所持している蓄電池パックの劣化レベルと同等の蓄電池パックであり、且つ、貸与可能な蓄電池パックを保管していないサービスセンタ（蓄電池貸与装置２）に関する情報を含めてユーザに提示するようにしてもよい。
【０１８９】
（２）  上記の実施の形態では、ユーザが指定したよく通る道の付近をサービスセンタ（蓄電池貸与装置２）の検索エリアとしているが、これに限定されるものではなく、よく通る道か否かに関わらずユーザが指定したルートを含むエリアをサービスセンタ（蓄電池貸与装置２）の検索エリアとしてもよい。
（３）  上記の実施の形態では、設定されたエリアが［この付近］であるときの現在地点、設定されたエリアが［自宅の付近］であるときの自宅の位置、設定されたエリアが「目的地までのルート付近」であるときの現在位置は、本開示の特定位置に対応しているが、これに限定されるものではない。本開示の特定位置はユーザが任意に指定した位置であってもよい。この場合、ユーザによって設定されるエリアは、例えば、ユーザが指定した、現在地、自宅と異なる特定位置（例えば、目的地）を含みユーザが設定した範囲内にあるエリアが挙げられる。また、ユーザが指定した自宅と異なる特定位置（例えば、出発予定地）から目的地までのルートを含むエリアが例示される。
【０１９０】
（４）  上記の実施の形態及び上記（３）では、サービスセンタ（蓄電池貸与装置２）の検索エリアの詳細設定はユーザによって指定された距離に基づいて行うこととしているが、これに限定されるものではなく、例えば、ユーザによって指定された時間によって行うようにしてもよい。この場合、特定位置から指定された時間で到達可能なエリアがサービスセンタ（蓄電池貸与装置２）の検索エリアとなる。
（５）  上記の実施の形態では、サービスセンタ（蓄電池貸与装置２）に関する情報（所在地、名称等）と、蓄電池パックに関する情報（貸与可能な蓄電池パックの台数）とを併せて表示するようにしているが、これに限定されるものではなく、例えば次のようなものであってもよい。情報端末３の表示器３０３にサービスセンタ（蓄電池貸与装置２）に関する情報を表示し、ユーザがその中からサービスセンタ（蓄電池貸与装置２）を選択した場合に当該サービスセンタ（蓄電池貸与装置２）が保管する蓄電池パックに関する情報を表示するようにしてもよい。
【０１９１】
（６）  上記の実施の形態では、貸与可能な蓄電池パックが存在する蓄電池貸与装置２（サービスセンタ）に関する情報が情報端末３の表示器３０３に表示され、貸与可能な蓄電池パックが存在しない蓄電池貸与装置２（サービスセンタ）に関する情報は情報端末３の表示器３０３に表示されないようになっているが、これに限定されるものではなく、例えば次のようなものであってもよい。蓄電池貸与装置２の検索エリアにある蓄電池貸与装置２を、貸与可能な蓄電池パックが存在する蓄電池貸与装置２と、貸与可能な蓄電池パックが存在しない蓄電池貸与装置２とを区別して情報端末３の表示器３０３に表示するようにしてもよい。
【０１９２】
また、情報端末３の表示器３０３にサービスセンタ（蓄電池貸与装置２）に関する情報を表示する際に、特定位置に近い順に所定の順番以上のサービスセンタ（蓄電池貸与装置２）と、それ以外のサービスセンタ（蓄電池貸与装置２）とを区別して表示するようにしてもよい。
なお、区別した表示の方法としては、蓄電池貸与装置２を示す情報の表示様式を区別して表示する方法が例示される。蓄電池貸与装置２を示す情報としては、蓄電池貸与装置２を示す記号、文字、アイコン等が例示される。表示様式を区別する方法としては、蓄電池貸与装置２を示す情報の表示色の違い、表示の大きさの違い、表示に使用する線の種類（実線、破線）の違い等で区別する方法が例示される。
（７）  上記の実施の形態では、電気機器として、蓄電池パックが交換可能に取り付けられる電動アシスト自転車を例に挙げて説明した。しかしながら、電気機器は、これに限定されず、電動アシスト自転車以外の電動車両などの蓄電池パックが交換可能に取り付けられる移動手段または、蓄電池パックが交換可能に取り付けられる移動手段以外の電気機器であってもよい。
【０１９３】
（８）  上記の実施の形態では、予約要求及び予約応答はサーバ装置１１を経由するとしたが、これに限定されず、情報端末３はネットワークを介して直接サービスセンタの蓄電池貸与装置２内の情報端末（ＰＣ２１）に予約要求を行い、情報端末（ＰＣ２１）は直接情報端末３に予約応答を送信するようにしてもよい。
（９）上記の実施の形態では、蓄電池交換予約処理において、サーバ装置１１がユーザが所持している蓄電池パックのクラス（劣化レベル）を特定してサービスセンタ（蓄電池貸与装置２）の検索に用いるとして説明したが、これに限定されるものではない。例えば、ユーザが所持している蓄電池パックのクラス（劣化レベル）を指定して、または、ユーザが希望する蓄電池パックのクラス（劣化レベル）を指定し、サーバ装置１１はそれをサービスセンタ（蓄電池貸与装置２）の検索に用いるようにしてもよい。
【０１９４】
（１０）  上記の実施の形態では、設定されるエリアの候補として、「この付近」、「よく通る道の付近」、「自宅の付近」、及び「目的地までのルート付近」の４つを挙げているが、これに限定されるものではなく、その一部であってもよいし、他のものがあってもよい。
また、上記の実施の形態では、「よく通る道の付近」でユーザが設定したルートを含むエリアの設定を例示したが、これに限定されるものではない。例えば、ユーザが設定したルートの一部を含むエリアが、ユーザにより設定されたエリアであってもよい。このようエリアとしてユーザが設定したルートの途中地点を含むエリア、ユーザが設定したルートの最終地点を含むエリアが例示される。つまり、ユーザにより設定されるエリアは、ユーザが設定したルートの少なくとも一部を含むエリアであってもよい。
また、上記の実施の形態では、「目的地までのルート付近」で特定位置からユーザが設定した目的地までのルートを含むエリアの設定を例示したが、これに限定されるものではない。例えば、特定位置からユーザが設定した目的地までのルートの一部を含むエリアがユーザにより設定されたエリアであってもよい。このようなエリアとして、特定位置からユーザが設定した目的地までのルートの途中地点を含むエリア、特定位置からユーザが設定した目的地までのルートの目的地を含むエリアが例示される。つまり、ユーザにより設定されるエリアは、特定位置からユーザが設定した目的地までのルートの少なくとも一部を含むエリアであってもよい。
また、上記の実施の形態では、報知基準として、「電池残量減少」、及び「定期的」の２つを挙げているが、これに限定されるものではなく、その一部であってもよいし、他のものがあってもよい。
【０１９５】
（１１）上記の各実施の形態における各装置の少なくとも一部の構成要素は、集積回路であるＬＳＩ（Ｌａｒｇｅ  Ｓｃａｌｅ  Ｉｎｔｅｇｒａｔｉｏｎ）で実現してもよい。このとき、各構成要素は、個別に１チップ化されてもよいし、一部もしくは全てを含むように１チップ化されてもよい。また、ここでは、ＬＳＩとしたが、集積度の違いにより、ＩＣ（Ｉｎｔｅｇｒａｔｅｄ  Ｃｉｒｃｕｉｔ）、システムＬＳＩ、スーパーＬＳＩ、ウルトラＬＳＩと呼称されることもある。また、集積回路化の手法はＬＳＩに限るものではなく、専用回路又は汎用プロセサで実現してもよい。ＦＰＧＡ（Ｆｉｅｌｄ  Ｐｒｏｇｒａｍｍａｂｌｅ  Ｇａｔｅ  Ａｒｒａｙ）または、ＬＳＩ内部の回路セルの接続及び設定を再構成可能なリコンフィギュラブル・プロセサを利用してもよい。さらに、半導体技術の進歩又は派生する別技術によりＬＳＩに置き換わる集積回路化の技術が登場すれば、当然その技術を用いて機能ブロックの集積化を行ってもよい。
【０１９６】
（１２）上記の各実施の形態などで示した各装置の動作の手順の少なくとも一部をプログラムに記載し、例えばＣＰＵがメモリに記憶された当該プログラムを読み出して実行するようにしてもよいし、上記プログラムを記録媒体に保存して頒布等するようにしてもよい。
（１３）各実施の形態及び≪補足（その１）≫の各変形例において説明した内容を適宜組み合わせるようにしてもよい。
【０１９７】
≪補足（その２）≫
実施の形態及び補足（その１）に係る送信方法、送信機、受信方法、および受信機とその効果についてまとめる。
（１）  第１の実施の態様に係る制御プログラムは、蓄電池パックを貸与する装置に関する情報を保持するサーバ装置とネットワークを通じて通信可能な情報端末を制御する制御プログラムであって、前記情報端末に、使用者によって設定されたエリアに存在する前記装置に関する情報を前記サーバ装置より取得する処理（ａ）と、取得した前記装置に関する情報を表示画面に表示する処理（ｂ）と、を実行させる。
【０１９８】
第１の実施の態様に係る制御方法は、蓄電池パックを貸与する装置に関する情報を保持するサーバ装置とネットワークを通じて通信可能な情報端末の制御方法であって、使用者によって設定されたエリアに存在する前記装置に関する情報を前記サーバ装置より取得するステップ（ａ）と、取得した前記装置に関する情報を表示画面に表示するステップ（ｂ）と、を含む。
【０１９９】
これらによれば、使用者によって設定されたエリア内の蓄電池貸与装置が表示されるため、ユーザの希望に沿った蓄電池貸与装置の表示が可能になる。
（２）  第２の実施の態様に係る制御プログラムは、第１の実施の態様に係る制御プログラムにおいて、前記処理（ｂ）では、前記エリアを含む地図を前記表示画面に表示し、当該地図上に前記装置に関する情報を表示する。
【０２００】
第２の実施の態様に係る制御方法は、第１の実施の態様に係る制御方法において、前記ステップ（ｂ）では、前記エリアを含む地図を前記表示画面に表示し、当該地図上に前記装置に関する情報を表示する。
これらによれば、使用者は蓄電池貸与装置の所在地の把握を容易に行うことができる。
【０２０１】
（３）  第３の実施の態様に係る制御プログラムは、第１又は第２の実施の態様に係る制御プログラムにおいて、前記エリアが、特定位置から使用者が設定した目的地までのルートの少なくとも一部を含むエリアである。
【０２０２】
第３の実施の態様に係る制御方法は、第１又は第２の実施の態様に係る制御方法において、前記エリアが、特定位置から使用者が設定した目的地までのルートの少なくとも一部を含むエリアである。
（４）  第４の実施の態様に係る制御プログラムは、第１又は第２の実施の態様に係る制御プログラムにおいて、前記エリアが、特定位置から使用者が設定した範囲内にあるエリアである。
【０２０３】
第４の実施の態様に係る制御方法は、第１又は第２の実施の態様に係る制御方法において、前記エリアが、特定位置から使用者が設定した範囲内にあるエリアである。
（５）  第５の実施の態様に係る制御プログラムは、第１又は第２の実施の態様に係る制御プログラムにおいて、前記エリアが、特定位置から使用者が設定した時間内に、特定位置から到達可能なエリアである。
【０２０４】
第５の実施の態様に係る制御方法は、第１又は第２の実施の態様に係る制御方法において、前記エリアが、特定位置から使用者が設定した時間内に、特定位置から到達可能なエリアである。
（６）  第６の実施の態様に係る制御プログラムは、第１又は第２の実施の態様に係る制御プログラムにおいて、前記エリアが、使用者が設定したルートの少なくとも一部を含むエリアである。
【０２０５】
第６の実施の態様に係る制御方法は、第１又は第２の実施の態様に係る制御方法において、前記エリアが、使用者が設定したルートの少なくとも一部を含むエリアである。
上記の（３）から（６）によれば、使用者によって設定されたエリアの具体例を提供することができる。
（７）  第７の実施の態様に係る制御プログラムは、第１から第６のいずれかの実施の態様に係る制御プログラムにおいて、前記処理（ｂ）では、貸与可能な蓄電池パックが存在する前記装置に関する情報を前記表示画面に表示し、貸与可能な蓄電池パックが存在しない前記装置に関する情報は前記表示画面に表示しない。
【０２０６】
第７の実施の態様に係る制御方法は、第１から第６のいずれかの実施の態様に係る制御方法において、前記ステップ（ｂ）では、貸与可能な蓄電池パックが存在する前記装置に関する情報を前記表示画面に表示し、貸与可能な蓄電池パックが存在しない前記装置に関する情報は前記表示画面に表示しない。
これらによれば、貸与可能な蓄電池パックが存在しない蓄電池貸与装置に関する情報が表示されないので、貸与可能な蓄電池パックが存在する蓄電池貸与装置に関する情報を容易に把握することが可能になる。
【０２０７】
（８）  第８の実施の態様に係る制御プログラムは、第１から第６のいずれかの実施の態様に係る制御プログラムにおいて、前記処理（ｂ）では、貸与可能な蓄電池パックが存在する前記装置に関する情報と、貸与可能な蓄電池パックが存在しない前記装置に関する情報とを区別して前記表示画面に表示する。
第８の実施の態様に係る制御方法は、第１から第６のいずれかの実施の態様に係る制御方法において、前記ステップ（ｂ）では、貸与可能な蓄電池パックが存在する前記装置に関する情報と、貸与可能な蓄電池パックが存在しない前記装置に関する情報とを区別して前記表示画面に表示する。
【０２０８】
これらによれば、貸与可能な蓄電池パックが存在する蓄電池貸与装置に関する情報と、貸与可能な蓄電池パックが存在しない蓄電池貸与装置に関する情報とが区別して表示される。このため、貸与可能な蓄電池パックが存在する蓄電池貸与装置に関する情報を容易に把握することが可能になる。
（９）  第９の実施の態様に係る制御プログラムは、第１から第８のいずれかの実施の態様に係る制御プログラムにおいて、前記処理（ｂ）では、前記装置に関する情報と、当該装置に存在する前記蓄電池パックに関する情報とを併せて前記表示画面に表示する。
【０２０９】
第９の実施の態様に係る制御方法は、第１から第８のいずれかの実施の態様に係る制御方法において、前記ステップ（ｂ）では、前記装置に関する情報と、当該装置に存在する前記蓄電池パックに関する情報とを併せて前記表示画面に表示する。
これらによれば、ユーザは、蓄電池貸与装置に関する情報とそこに存在する蓄電池パックに関する情報を併せて得られるので、使用者は希望の蓄電池貸与装置を探しやすくなる。
【０２１０】
（１０）  第１０の実施の態様に係る制御プログラムは、第１から第８のいずれかの実施の態様に係る制御プログラムにおいて、前記処理（ｂ）では、使用者によって前記装置が選択されると、選択された当該装置に存在する前記蓄電池パックに関する情報を前記表示画面に表示する。
第１０の実施の態様に係る制御方法は、第１から第８のいずれかの実施の態様に係る制御方法において、前記ステップ（ｂ）では、使用者によって前記装置が選択されると、選択された当該装置に存在する前記蓄電池パックに関する情報を前記表示画面に表示する。
【０２１１】
これらによれば、使用者は、蓄電池貸与装置に関する情報に加えてそこに存在する蓄電池パックに関する情報も得られるので、使用者は希望の蓄電池貸与装置を探しやすくなる。
（１１）  第１１の実施の態様に係る制御プログラムは、第９又は第１０の実施の態様に係る制御プログラムにおいて、前記蓄電池パックに関する情報が、貸与可能な蓄電池パックの数である。
【０２１２】
第１１の実施の態様に係る制御方法は、第９又は第１０の実施の態様に係る制御方法において、前記蓄電池パックに関する情報が、貸与可能な蓄電池パックの数である。
これらによれば、使用者は、蓄電池貸与装置に存在する貸与可能な蓄電池パックの数を見ながら蓄電池貸与装置の探索を行うことができ、使用者は希望の蓄電池貸与装置を探しやすくなる。
【０２１３】
（１２）  第１２の実施の態様に係る制御プログラムは、第１１の実施の態様に係る制御プログラムにおいて、前記貸与可能な蓄電池パックの数が、蓄電池パックの劣化レベル毎に分類されている。
第１２の実施の態様に係る制御方法は、第１１の実施の態様に係る制御方法において、前記貸与可能な蓄電池パックの数が、蓄電池パックの劣化レベル毎に分類されている。
【０２１４】
これらによれば、使用者は、蓄電池貸与装置に存在する貸与可能な蓄電池パックの数を劣化レベル毎に見ながら蓄電池貸与装置の探索を行うことができ、使用者は希望の蓄電池貸与装置を探しやすくなる。
（１３）  第１３の実施の態様に係る制御プログラムは、第１１の実施の態様に係る制御プログラムにおいて、蓄電池パックの所定の劣化レベルと同等の劣化レベルの蓄電池パックであって、貸与可能な蓄電池パックの数が前記表示画面に表示される。
【０２１５】
第１３の実施の態様に係る制御方法は、第１１の実施の態様に係る制御方法において、蓄電池パックの所定の劣化レベルと同等の劣化レベルの蓄電池パックであって、貸与可能な蓄電池パックの数が前記表示画面に表示される。
これらによれば、使用者は、例えば自身が保持している蓄電池パックの劣化レベルと同等の劣化レベルの蓄電池パックが蓄電池貸与装置に何台存在しているかを見ながら蓄電池貸与装置の探索を行うことができる。このため、使用者は希望の蓄電池貸与装置を探しやすくなる。
【０２１６】
（１４）  第１４の実施の態様に係る制御プログラムは、第１１の実施の態様に係る制御プログラムにおいて、蓄電池パックの所定の劣化レベルと同等以下の劣化レベルの蓄電池パックであって、貸与可能な蓄電池パックの数が前記表示画面に表示される。
第１４の実施の態様に係る制御方法は、第１１の実施の態様に係る制御方法において、蓄電池パックの所定の劣化レベルと同等以下の劣化レベルの蓄電池パックであって、貸与可能な蓄電池パックの数が前記表示画面に表示される。
【０２１７】
これらによれば、使用者は、例えば自身が保持している蓄電池パックの劣化レベルと同等以下の劣化レベルの蓄電池パックが蓄電池貸与装置に何台存在しているかを見ながら蓄電池貸与装置の探索を行うことができる。このため、使用者は希望の蓄電池貸与装置を探しやすくなる。
（１５）  第１５の実施の態様に係る制御プログラムは、第１１の実施の態様に係る制御プログラムにおいて、蓄電池パックの所定の劣化レベルと同等以下の劣化レベルの蓄電池パックであって、貸与可能な蓄電池パックの数が劣化レベル毎に分類されて前記表示画面に表示される。
【０２１８】
第１５の実施の態様に係る制御方法は、第１１の実施の態様に係る制御方法において、蓄電池パックの所定の劣化レベルと同等以下の劣化レベルの蓄電池パックであって、貸与可能な蓄電池パックの数が劣化レベル毎に分類されて前記表示画面に表示される。
これらによれば、使用者は、例えば自身が保持している蓄電池パックの劣化レベルと同等以下の劣化レベルの蓄電池パックが劣化レベル毎に蓄電池貸与装置に何台存在しているかを見ながら蓄電池貸与装置の探索を行うことができる。このため、使用者は希望の蓄電池貸与装置を探しやすくなる。
【０２１９】
（１６）  第１６の実施の態様に係る制御プログラムは、第１または第２の実施の態様に係る制御プログラムにおいて、前記処理（ｂ）では、蓄電池パックの所定の劣化レベルと同等の劣化レベルの蓄電池パックであって、貸与可能な蓄電池パックが存在する前記装置に関する情報を前記表示画面に表示する。
第１６の実施の態様に係る制御方法は、第１または第２の実施の態様に係る制御方法において、前記ステップ（ｂ）では、蓄電池パックの所定の劣化レベルと同等の劣化レベルの蓄電池パックであって、貸与可能な蓄電池パックが存在する前記装置に関する情報を前記表示画面に表示する。
【０２２０】
これらによれば、使用者は、例えば自身が保持している蓄電池パックの劣化レベルと同等の劣化レベルの蓄電池パックであって、貸与可能な蓄電池パックが存在する蓄電池貸与装置に関する情報を見ながら蓄電池貸与装置の探索を行うことができる。このため、使用者は希望の蓄電池貸与装置を探しやすくなる。
（１７）  第１７の実施の態様に係る制御プログラムは、第１または第２の実施の態様に係る制御プログラムにおいて、前記処理（ｂ）では、蓄電池パックの所定の劣化レベルと同等以下の劣化レベルの蓄電池パックであって、貸与可能な蓄電池パックが存在する前記装置に関する情報を前記表示画面に表示する。
【０２２１】
第１７の実施の態様に係る制御方法は、第１または第２の実施の態様に係る制御方法において、前記ステップ（ｂ）では、蓄電池パックの所定の劣化レベルと同等以下の劣化レベルの蓄電池パックであって、貸与可能な蓄電池パックが存在する前記装置に関する情報を前記表示画面に表示する。
これらによれば、使用者は、例えば自身が保持している蓄電池パックの劣化レベルと同等以下の劣化レベルの蓄電池パックであって、貸与可能な蓄電池パックが存在する蓄電池貸与装置に関する情報を見ながら蓄電池貸与装置の探索を行うことができる。このため、使用者は希望の蓄電池貸与装置を探しやすくなる。
【０２２２】
（１８）  第１８の実施の態様に係る制御プログラムは、第１または第２の実施の態様に係る制御プログラムにおいて、前記処理（ｂ）では、少なくとも、特定位置から近い順に、所定の順番以上の前記装置に関する情報を前記表示画面に表示する。
第１８の実施の態様に係る制御方法は、第１または第２の実施の態様に係る制御方法において、前記ステップ（ｂ）では、少なくとも、特定位置から近い順に、所定の順番以上の前記装置に関する情報を前記表示画面に表示する。
【０２２３】
これらによれば、使用者は行きやすい場所にある蓄電池貸与装置を探しやすくなる。
（１９）  第１９の実施の態様に係る制御プログラムは、第１８の実施の態様に係る制御プログラムにおいて、前記処理（ｂ）では、前記順番以上の前記装置に関する情報とそれ以外の前記装置に関する情報とを区別して前記表示画面に表示する。
第１９の実施の態様に係る制御方法は、第１８の実施の態様に係る制御方法において、前記ステップ（ｂ）では、前記順番以上の前記装置に関する情報とそれ以外の前記装置に関する情報とを区別して前記表示画面に表示する。
【０２２４】
これらによれば、使用者は行きやすい場所にある蓄電池貸与装置を探しやすくなる。
（２０）  第２０の実施の態様に係る制御プログラムは、第１または第２の実施の態様に係る制御プログラムにおいて、前記処理（ａ）より前に、使用者が利用する電気機器に搭載された蓄電池パックの電池残量に関する情報を取得する処理（ｃ）と、取得した前記蓄電池パックの電池残量に関する情報を前記表示画面に表示する処理（ｄ）と、を前記情報端末に実行させる。
【０２２５】
第２０の実施の態様に係る制御方法は、第１または第２の実施の態様に係る制御方法において、前記ステップ（ａ）より前に、使用者が利用する電気機器に搭載された蓄電池パックの電池残量に関する情報を取得するステップ（ｃ）と、取得した前記蓄電池パックの電池残量に関する情報を前記表示画面に表示するステップ（ｄ）と、を含む。
これらによれば、蓄電池パックの交換が必要かどうかを把握することができるので、蓄電池パックの交換における使用者の不要な作業の発生を回避することが可能になる。
【０２２６】
（２１）  第２１の実施の態様に係る制御プログラムは、第２０の実施の態様に係る制御プログラムにおいて、前記処理（ｃ）は、使用者により設定された期間毎に定期的に実行される。
第２１の実施の態様に係る制御方法は、第２０の実施の態様に係る制御方法において、前記ステップ（ｃ）は、使用者により設定された期間毎に定期的に実行される。
【０２２７】
これらによれば、定期的に蓄電池パックの電池残量が報知されるので、蓄電池パックの交換を使用者が忘れてしまうような状況の発生を回避することができる。
（２２）  第２２の実施の態様に係る制御プログラムは、第１または第２の実施の態様に係る制御プログラムにおいて、前記処理（ａ）より前に、使用者が利用する電気機器に搭載された蓄電池パックの電池残量に関する情報を取得する処理（ｅ）と、取得した前記蓄電池パックの電池残量に関する情報に基づいて電池残量の低下を示す情報を前記表示画面に表示する処理（ｆ）と、前記情報端末に実行させる。
【０２２８】
第２２の実施の態様に係る制御方法は、第１または第２の実施の態様に係る制御方法において、前記ステップ（ａ）より前に、使用者が利用する電気機器に搭載された蓄電池パックの電池残量に関する情報を取得するステップ（ｅ）と、取得した前記蓄電池パックの電池残量に関する情報に基づいて電池残量の低下を示す情報を前記表示画面に表示するステップ（ｆ）と、を含む。
【０２２９】
これらによれば、蓄電池パックの交換が必要かどうかを把握することができるので、蓄電池パックの交換における使用者の不要な作業の発生を回避することが可能になる。
（２３）  第２３の実施の態様に係る制御プログラムは、第２２の実施の態様に係る制御プログラムにおいて、前記処理（ｆ）は、蓄電池パックの電池残量が、使用者により設定された電池残量以下になると実行される。
【０２３０】
第２３の実施の態様に係る制御方法は、第２２の実施の態様に係る制御方法において、前記ステップ（ｆ）は、蓄電池パックの電池残量が、使用者により設定された電池残量以下になると実行される。
これらによれば、使用者は希望する電池残量での報知を受けることができる。
（２４）  第２４の実施の態様に係る制御プログラムは、第１から第２３のいずれかの実施の態様に係る制御プログラムにおいて、前記処理（ｂ）の後、所定の前記装置に存在する蓄電池パックを予約する旨の入力に基づいて、前記予約の指示を前記ネットワークに出力する処理（ｇ）を、前記情報端末に実行させる。
【０２３１】
第２４の実施の態様に係る制御方法は、第１から第２３のいずれかの実施の態様に係る制御方法において、前記ステップ（ｂ）の後、所定の前記装置に存在する蓄電池パックを予約する旨の入力に基づいて、前記予約の指示を前記ネットワークに出力するステップ（ｇ）を、含む。
これらによれば、使用者は蓄電池パックの予約まででき、使用者の蓄電池パックの交換における作業負担の軽減が図られる。
【産業上の利用可能性】
【０２３２】
本開示は、蓄電池パックを貸与する装置に関する情報の情報端末への表示に利用することができる。
【符号の説明】
【０２３３】
１  レンタルサービス企業
２  蓄電池貸与装置
２Ａ、２Ｂ  サービスセンタ
３  情報端末
４  電動アシスト自転車
５  蓄電池パック
１１  サーバ装置
２１  パーソナルコンピュータ
２２  カードリーダライタ
２３  レンタル手続用機器
２４  蓄電池収納器
２５  ルータ
１１１  センタ管理データベース
１１２  クラス条件データベース
１１３  レンタル管理データベース
１１４  蓄電池管理データベース
１０１  記憶器
１０２  制御器
１０３  通信器
２１１  記憶器
２１２  操作器
２１３  表示器
２１４  制御器
２１５、２１６  通信器
２４１  記憶器
２４２  制御器
２４３  通信器
２４４  充電器
２４５  検出器
３０１  記憶器
３０２  操作器
３０３  表示器
３０４  制御器
３０５  通信器
３０５ａ  アンテナ
３０６  通信器
３０６ａ  アンテナ
３０７  ＧＰＳ器
３０７ａ  アンテナ
３１１  蓄電池予約処理器
３２１  エリア設定器
３２２  蓄電池交換予約器
３２３  報知基準設定器
３２４  報知処理器
５０１  記憶器
５０２  制御器
５０３  通信器
５０３ａ  アンテナ
５０４  電力入出力器
５０５  検出器
５０６  蓄電池
【図１】
2020080199.tif 000003
【図２】
2020080199.tif 000004
【図３】
2020080199.tif 000005
【図４】
2020080199.tif 000006
【図５】
2020080199.tif 000007
【図６】
2020080199.tif 000008
【図７】
2020080199.tif 000009
【図８】
2020080199.tif 000010
【図９】
2020080199.tif 000011
【図１０】
2020080199.tif 000012
【図１１】
2020080199.tif 000013
【図１２】
2020080199.tif 000014
【図１３】
2020080199.tif 000015
【図１４】
2020080199.tif 000016
【図１５】
2020080199.tif 000017
【図１６】
2020080199.tif 000018
【図１７】
2020080199.tif 000019
【図１８】
2020080199.tif 000020
【図１９】
2020080199.tif 000021
【図２０】
2020080199.tif 000022
【図２１】
2020080199.tif 000023
【図２２】
2020080199.tif 000024
【図２３】
2020080199.tif 000025
【図２４】
2020080199.tif 000026
【図２５】
2020080199.tif 000027
【図２６】
2020080199.tif 000028
【図２７】
2020080199.tif 000029